(57)【要約】本開示は、チャネル状態情報フィードバック方法及び装置、並びに記憶媒体を提供する。方法は、端末によって、参照信号に基づき、チャネル測定を行うことと、ＣＳＩ報告帯域のＫ個のサブ帯域からＭ個のサブ帯域を選択し、Ｍ個のサブ帯域のプリコーディングコードブックインデックスに関連する重み付き係数の相対電力インジケータ（ＲＰＩ）及び位相インジケータ（ＰＩ）を基地局に報告することとを含む。Ｍ及びＫは１以上の整数であり、Ｍ＜Ｋであり、各サブ帯域はＲ個のリソースブロックＲＢからなる集合であり、Ｒは１以上の整数である。【選択図】図２
2020523880.tif 000002
【特許請求の範囲】
【請求項１】
端末に適用可能なチャネル状態情報（ＣＳＩ）フィードバック方法であって、
参照信号に基づいてチャネル測定を行うことと、
ＣＳＩ報告帯域のＫ個のサブ帯域からＭ個のサブ帯域を選択し、前記Ｍ個のサブ帯域のプリコーディングコードブックインデックスに関連する重み付き係数の相対電力インジケータ（ＲＰＩ）及び／又は位相インジケータ（ＰＩ）を基地局に報告することと
を含み、
Ｍ及びＫは１以上の整数であり、Ｍ＜Ｋであり、各サブ帯域はＲ個のリソースブロック（ＲＢ）からなる集合であり、Ｒは１以上の整数である方法。
【請求項２】
請求項１に記載の方法において、更に、前記基地局からの構成シグナリング又は事前に定義された規則に基づいて、Ｍの値を決定することを含む方法。
【請求項３】
請求項１又は請求項２に記載の方法において、
ＣＳＩ報告帯域のＫ個のサブ帯域からＲＰＩ及び／又はＰＩのフィードバックのためのＭ個のサブ帯域を選択することは、
前記基地局からの命令シグナリングに基づいて、前記Ｋ個のサブ帯域からＰＩ及び／又はＲＰＩ報告のためのＭ個のサブ帯域を選択すること、
事前に定義された規則に基づいて、前記Ｋ個のサブ帯域からＰＩ及び／又はＲＰＩ報告のためのＭ個のサブ帯域を選択すること、及び
チャネル測定の結果に基づいて、前記Ｋ個のサブ帯域からＰＩ及び／又はＲＰＩ報告のためのＭ個のサブ帯域を選択すること
のうちの少なくとも１つを含む方法。
【請求項４】
請求項３に記載の方法において、前記命令シグナリングは、
物理層シグナリング、
無線リソース制御（ＲＲＣ）シグナリング、
メディアアクセス制御（ＭＡＣ）シグナリング、
ダウンリンク制御情報（ＤＣＩ）、及び
ビットマップ
のうちの少なくとも１つを含む方法。
【請求項５】
請求項３に記載の方法において、
事前に定義された規則に基づいて、Ｋ個のサブ帯域からＰＩ及び／又はＲＰＩ報告のためのＭ個のサブ帯域を選択することは、事前に定義された規則に基づいて選択することを含み、
前記事前に定義された規則は、
前記Ｋ個のサブ帯域から周波数が最も低いＭ個のサブ帯域を選択すること、
前記Ｋ個のサブ帯域から周波数が最も高いＭ個のサブ帯域を選択すること、
前記Ｋ個のサブ帯域から周波数が最も高いサブ帯域及び周波数が最も低いサブ帯域を含むＭ個のサブ帯域を選択すること、及び
前記Ｋ個のサブ帯域において、くし形分布にあるＭ個のサブ帯域を選択すること、
のうちの少なくとも１つを含む方法。
【請求項６】
請求項３に記載の方法において、
チャネル測定の結果に基づいて、Ｋ個のサブ帯域からＰＩ及び／又はＲＰＩ報告のためのＭ個のサブ帯域を選択することは、
前記Ｋ個のサブ帯域のＣＱＩを計算し、前記Ｋ個のサブ帯域のうち、ＰＩ及び／又はＲＰＩ報告のために最良のＣＱＩを有するＭ個のサブ帯域を選択することを含む方法。
【請求項７】
請求項６に記載の方法において、更に、前記Ｋ個のサブ帯域のうち、最良のＣＱＩを有するＭ個のサブ帯域の番号情報を前記基地局に報告することを含む方法。
【請求項８】
請求項６に記載の方法において、前記Ｋ個のサブ帯域のＣＱＩを計算することは、前記チャネル測定から得られるプリコーディング行列インジケータ（ＰＭＩ）、ＲＰＩ及びＰＩに基づいてＣＱＩを計算することを含む方法。
【請求項９】
請求項１又は請求項２に記載の方法において、
前記ＣＳＩ報告帯域の前記Ｋ個のサブ帯域からＰＩ及び／又はＲＰＩのフィードバックのためのＭ個のサブ帯域を選択することは、
前記Ｋ個のサブ帯域をＮ個のサブ帯域集合に分割すること、及び
各サブ帯域集合から１以上のサブ帯域を決定し、ＰＩ報告及び／又はＲＰＩ報告のためのサブ帯域としてＭ個のサブ帯域を形成すること、
を含む方法。
【請求項１０】
請求項９に記載の方法において、
前記ＣＳＩ報告帯域のＫ個のサブ帯域をＮ個のサブ帯域集合に分割することは、
前記基地局からのシグナリング、
事前に定義された規則、及び
チャネル測定の結果、
のうちの少なくとも１つに基づいて分割を行うことを含む方法。
【請求項１１】
請求項９に記載の方法において、
前記Ｋ個のサブ帯域をＮ個のサブ帯域集合に分割し、各サブ帯域集合から１以上のサブ帯域を決定することは、
前記Ｋ個のサブ帯域をＮ個のサブ帯域集合に分割することであって、第ｎのサブ帯域集合がＫｎ個のサブ帯域を含む、サブ帯域集合に分割すること、及び
ＰＩ又はＲＰＩ報告のためのサブ帯域として、前記第ｎのサブ帯域集合からＭｎ個のサブ帯域を決定することであって、ｎは１以上の整数であり、ｎ≦Ｎである、サブ帯域を決定すること、
を含む方法。
【請求項１２】
請求項１０に記載の方法において、更に、基地局からの構成シグナリング又は事前に定義された規則に基づいてＭｎの値を決定することを含む方法。
【請求項１３】
請求項９又は請求項１１に記載の方法において、
各サブ帯域集合から１以上のサブ帯域を決定することは、
基地局からの命令シグナリングに基づいて、各サブ帯域集合から対応する数のサブ帯域を選択すること、
事前に定義された規則に基づいて、各サブ帯域集合から対応する数のサブ帯域を選択すること、及び
チャネル測定の結果に基づいて、各サブ帯域集合から対応する数のサブ帯域を選択すること、
のうちの少なくとも１つを含む方法。
【請求項１４】
請求項１３に記載の方法において、
チャネル測定の結果に基づいて、各サブ帯域集合からＰＩ及び／又はＲＰＩ報告のための対応する数のサブ帯域を選択することは、
前記Ｋ個のサブ帯域のＣＱＩを計算すること、及び
第ｎのサブ帯域集合の前記Ｋｎ個のサブ帯域から、
対応するＰＩ、
対応するＲＰＩ、及び
Ｍｎ個のサブ帯域を示す情報、
のうちの少なくとも１つを報告するために最も高いＣＱＩを有するＭｎ個のサブ帯域を選択すること、
を含む方法。
【請求項１５】
請求項１３に記載の方法において、
事前に定義された規則に基づいて、前記第ｎのサブ帯域集合の前記Ｋｎ個のサブ帯域から、対応するＰＩ及び／又はＲＰＩを報告するためのＭｎ個のサブ帯域を選択することは、
前記Ｋｎ個のサブ帯域から周波数が最も低いＭｎ個のサブ帯域を選択すること、
前記Ｋｎ個のサブ帯域から周波数が最も高いＭｎ個のサブ帯域を選択すること、
前記Ｋｎ個のサブ帯域から周波数が最も高いサブ帯域及び周波数が最も低いサブ帯域を含むＭｎ個のサブ帯域を選択すること、及び
前記Ｋｎ個のサブ帯域において、くし形分布にあるＭｎ個のサブ帯域を選択すること、
のうちの少なくとも１つを含む方法。
【請求項１６】
請求項９又は請求項１１に記載の方法において、更に、事前に定義された規則に基づいて前記Ｋ個のサブ帯域をＮ個のサブ帯域集合に分割することを含み、
前記事前に定義された規則は、少なくとも、前記Ｋ個のサブ帯域をＮ個のサブ帯域集合に均等に分割することを含む方法。
【請求項１７】
請求項１３に記載の方法において、
チャネル測定の結果に基づいて、前記Ｋ個のサブ帯域をＮ個のサブ帯域集合に分割することは、
プリコーディングコードブックインデックスに関連するＲＰＩ又はＰＩによって示される情報を有するサブ帯域をそれぞれ含むサブ帯域集合を形成することであって、各情報の差は、ＤＲ又はＤＰ以下であり、ＤＲ又はＤＰは、所定の値であり又は基地局からのシグナリングによって決定される、サブ帯域集合を形成すること、及び
プリコーディングコードブックインデックスに関連するＲＰＩ又はＰＩによって示される情報を有するサブ帯域をそれぞれ含むサブ帯域集合を形成することであって、前記サブ帯域集合内のサブ帯域間の前記情報の変化は、ＥＲ又はＥＰ以下であり、ＥＲ又はＥＰは、所定の値であり又は基地局からのシグナリングによって決定される、サブ帯域集合を形成すること、
のうちの少なくとも１つを含む方法。
【請求項１８】
請求項１１に記載の方法において、更に、Ｎ、Ｋｎ、及びＭｎのうちの少なくとも１つの値を前記基地局に報告することを含む方法。
【請求項１９】
基地局に適用可能なチャネル状態情報（ＣＳＩ）フィードバック方法であって、
端末から、Ｍ個のサブ帯域のプリコーディングコードブックインデックスに関連する重み付き係数の相対電力インジケータ（ＲＰＩ）及び／又は位相インジケータ（ＰＩ）を受信することを含み、
前記Ｍ個のサブ帯域は、前記端末によって、ＣＳＩ報告帯域のＫ個のサブ帯域から選択されており、
Ｍ及びＫは１以上の整数であり、Ｍ＜Ｋであり、各サブ帯域はＲ個のリソースブロック（ＲＢ）からなる集合であり、Ｒは１以上の整数である方法。
【請求項２０】
請求項１９に記載の方法において、更に、構成シグナリングによって、前記Ｍの値を前記端末に通知することを含む方法。
【請求項２１】
請求項１９に記載の方法において、更に、構成シグナリングによって、前記Ｋ個のサブ帯域内のＭ個のサブ帯域のくし形分布の次数情報を前記端末に通知することを含む方法。
【請求項２２】
請求項１９に記載の方法において、更に、命令シグナリングによって、前記Ｋ個のサブ帯域からＰＩ及び／又はＲＰＩ報告のためのＭ個のサブ帯域を選択するように前記端末に通知することを含む方法。
【請求項２３】
請求項２２に記載の方法において、前記命令シグナリングは、
物理層シグナリング、
無線リソース制御（ＲＲＣ）シグナリング、
メディアアクセス制御（ＭＡＣ）シグナリング、
ダウンリンク制御情報（ＤＣＩ）、及び
ビットマップ、
のうちの少なくとも１つを含む方法。
【請求項２４】
請求項１９に記載の方法において、更に、前記端末から、前記Ｋ個のサブ帯域のうちの前記Ｍ個のサブ帯域の番号情報を受信することを含む方法。
【請求項２５】
請求項１９に記載の方法において、更に、前記ＣＳＩ報告帯域のＫ個のサブ帯域をＮ個のサブ帯域集合に分割するように前記端末に通知することを含む方法。
【請求項２６】
請求項１９に記載の方法において、更に、各サブ帯域集合から１以上のサブ帯域を決定し、ＰＩ報告及び／又はＲＰＩ報告のためのサブ帯域としてＭ個のサブ帯域を形成するように前記端末に通知することを含む方法。
【請求項２７】
請求項１９に記載の方法において、
更に、前記報告帯域幅のＫ個のサブ帯域をＮ個のサブ帯域集合に分割するように前記端末に通知することを含み、
第ｎのサブ帯域集合は、Ｋｎ個のサブ帯域を含む方法。
【請求項２８】
請求項１９に記載の方法において、
更に、ＰＩ又はＲＰＩ報告のためのサブ帯域として、第ｎのサブ帯域集合からＭｎ個のサブ帯域を決定するように端末に通知することを含み、
ｎは１以上の整数であり、ｎ≦Ｎである、方法。
【請求項２９】
請求項１９に記載の方法において、更に、前記端末から、
サブ帯域集合の数、
各サブ帯域集合内のサブ帯域の数、及び
各サブ帯域集合内のＰＩ又はＲＰＩ報告のためのサブ帯域の数、
のうちの少なくとも１つを受信することを含む方法。
【請求項３０】
端末に設けられるチャネル状態情報（ＣＳＩ）フィードバック装置であって、
参照信号に基づいてチャネル測定を行うように構成された測定モジュールと、
ＣＳＩ報告帯域のＫ個のサブ帯域からＭ個のサブ帯域を選択し、前記Ｍ個のサブ帯域のプリコーディングコードブックインデックスに関連する重み付き係数の相対電力インジケータ（ＲＰＩ）及び／又は位相インジケータ（ＰＩ）を前記基地局に報告するように構成されたフィードバックモジュールと、
を備え、
Ｍ及びＫは１以上の整数であり、Ｍ＜Ｋであり、各サブ帯域はＲ個のリソースブロック（ＲＢ）からなる集合であり、Ｒは１以上の整数である装置。
【請求項３１】
請求項３０に記載の装置において、前記フィードバックモジュールは、更に、前記基地局からの構成シグナリング又は事前に定義された規則に基づいて、Ｍの値を決定するように構成されている装置。
【請求項３２】
請求項３０又は請求項３１に記載の装置において、前記フィードバックモジュールは、更に、
基地局からの命令シグナリングに基づいて、前記Ｋ個のサブ帯域からＰＩ及び／又はＲＰＩ報告のためのＭ個のサブ帯域を選択すること、
事前に定義された規則に基づいて、前記Ｋ個のサブ帯域からＰＩ及び／又はＲＰＩ報告のためのＭ個のサブ帯域を選択すること、及び
チャネル測定の結果に基づいて、前記Ｋ個のサブ帯域からＰＩ及び／又はＲＰＩ報告のためのＭ個のサブ帯域を選択すること、
のうちの少なくとも１つによって、
ＣＳＩ報告帯域の前記Ｋ個のサブ帯域からＰＩ及び／又はＲＰＩのフィードバックのためのＭ個のサブ帯域を選択するように構成されている装置。
【請求項３３】
請求項３２に記載の装置において、
前記フィードバックモジュールは、更に、事前に定義された規則に基づいて、Ｋ個のサブ帯域からＰＩ及び／又はＲＰＩ報告のためのＭ個のサブ帯域を選択するように構成され、
前記事前に定義された規則は、
前記Ｋ個のサブ帯域から周波数が最も低いＭ個のサブ帯域を選択すること、
前記Ｋ個のサブ帯域から周波数が最も高いＭ個のサブ帯域を選択すること、
前記Ｋ個のサブ帯域から周波数が最も高いサブ帯域及び周波数が最も低いサブ帯域を含むＭ個のサブ帯域を選択すること、及び
前記Ｋ個のサブ帯域において、くし形分布にあるＭ個のサブ帯域を選択すること、
のうちの少なくとも１つを含む装置。
【請求項３４】
請求項３２に記載の装置において、前記フィードバックモジュールは、更に、
前記Ｋ個のサブ帯域のＣＱＩを計算し、前記Ｋ個のサブ帯域のうち、最良のＣＱＩを有するＭ個のサブ帯域をＰＩ及び／又はＲＰＩ報告のために選択することによって、
チャネル測定の結果に基づいて、Ｋ個のサブ帯域からＰＩ及び／又はＲＰＩ報告のためのＭ個のサブ帯域を選択する
ように構成されている装置。
【請求項３５】
請求項３４に記載の装置において、前記フィードバックモジュールは、更に、前記Ｋ個のサブ帯域のうち、最良のＣＱＩを有するＭ個のサブ帯域の番号情報を前記基地局に報告するように構成されている装置。
【請求項３６】
請求項３４に記載の装置において、前記フィードバックモジュールは、更に、前記チャネル測定から得られるプリコーディング行列インジケータ（ＰＭＩ）、ＲＰＩ及びＰＩに基づいてＣＱＩを計算することによって、Ｋ個のサブ帯域のＣＱＩを計算するように構成されている装置。
【請求項３７】
請求項３０又は請求項３１に記載の装置において、前記フィードバックモジュールは、更に、
前記Ｋ個のサブ帯域をＮ個のサブ帯域集合に分割すること、及び
各サブ帯域集合から１以上のサブ帯域を決定し、ＰＩ報告及び／又はＲＰＩ報告のためのサブ帯域としてＭ個のサブ帯域を形成すること
によって、前記ＣＳＩ報告帯域のＫ個のサブ帯域からＰＩ及び／又はＲＰＩのフィードバックのためのＭ個のサブ帯域を選択するように構成されている装置。
【請求項３８】
請求項３７に記載の装置において、前記フィードバックモジュールは、更に、
前記基地局からのシグナリング、
事前に定義された規則、及び
チャネル測定の結果、
のうちの少なくとも１つに基づいて、前記報告帯域幅のＫ個のサブ帯域をＮ個のサブ帯域集合に分割するように構成されている装置。
【請求項３９】
請求項３７に記載の装置において、
前記Ｋ個のサブ帯域をＮ個のサブ帯域集合に分割し、各サブ帯域集合から１以上のサブ帯域を決定することは、
前記Ｋ個のサブ帯域をＮ個のサブ帯域集合に分割することであって、第ｎのサブ帯域集合がＫｎ個のサブ帯域を含む、サブ帯域集合に分割すること、及び
ＰＩ又はＲＰＩ報告のためのサブ帯域として、前記第ｎのサブ帯域集合からＭｎ個のサブ帯域を決定すること
を含み、
ｎは１以上の整数であり、ｎ≦Ｎである、装置。
【請求項４０】
請求項３８に記載の装置において、前記フィードバックモジュールは、更に、前記基地局からの構成シグナリング又は事前に定義された規則に基づいてＭｎの値を決定するように構成されている装置。
【請求項４１】
請求項３７又は請求項３９に記載の装置において、前記フィードバックモジュールは、更に、
前記基地局からの命令シグナリングに基づいて、各サブ帯域集合から対応する数のサブ帯域を選択すること、
事前に定義された規則に基づいて、各サブ帯域集合から対応する数のサブ帯域を選択すること、及び
チャネル測定の結果に基づいて、各サブ帯域集合から対応する数のサブ帯域を選択すること、
のうちの少なくとも１つによって、各サブ帯域集合から１以上のサブ帯域を決定するように構成されている装置。
【請求項４２】
請求項４１に記載の装置において、前記フィードバックモジュールは、更に、
前記Ｋ個のサブ帯域のＣＱＩを計算すること、及び
第ｎのサブ帯域集合の前記Ｋｎ個のサブ帯域から、
対応するＰＩ、
対応するＲＰＩ、及び
Ｍｎ個のサブ帯域を示す情報
のうちの少なくとも１つを報告するために最も高いＣＱＩを有するＭｎ個のサブ帯域を選択すること、
によって、チャネル測定の結果に基づいて、各サブ帯域集合からＰＩ及び／又はＲＰＩ報告のための対応する数のサブ帯域を選択するように構成されている装置。
【請求項４３】
請求項４１に記載の装置において、前記フィードバックモジュールは、更に、
前記Ｋｎ個のサブ帯域から周波数が最も低いＭｎ個のサブ帯域を選択すること、
前記Ｋｎ個のサブ帯域から周波数が最も高いＭｎ個のサブ帯域を選択すること、
前記Ｋｎ個のサブ帯域から、周波数が最も高いサブ帯域及び周波数が最も低いサブ帯域を含むＭｎ個のサブ帯域を選択すること、及び
前記Ｋｎ個のサブ帯域において、くし形分布にあるＭｎ個のサブ帯域を選択すること、
によって、事前に定義された規則に基づいて、第ｎのサブ帯域集合のＫｎ個のサブ帯域から、対応するＰＩ及び／又はＲＰＩを報告するためのＭｎ個のサブ帯域を選択するように構成されている装置。
【請求項４４】
請求項３７又は請求項３９に記載の装置において、前記フィードバックモジュールは、更に、
少なくとも、前記Ｋ個のサブ帯域をＮ個のサブ帯域集合に均等に分割することによって、事前に定義された規則に基づいて、Ｋ個のサブ帯域をＮ個のサブ帯域集合に分割するように構成されている装置。
【請求項４５】
請求項４１に記載の装置において、前記フィードバックモジュールは、更に、
プリコーディングコードブックインデックスに関連するＲＰＩ又はＰＩによって示される情報を有するサブ帯域をそれぞれ含むサブ帯域集合を形成することであって、各情報の差は、ＤＲ又はＤＰ以下であり、ＤＲ又はＤＰは、所定の値であり又は前記基地局からのシグナリングによって決定される、サブ帯域集合を形成すること、及び
プリコーディングコードブックインデックスに関連するＲＰＩ又はＰＩによって示される情報を有するサブ帯域をそれぞれ含むサブ帯域集合を形成することであって、前記サブ帯域集合内のサブ帯域間の前記情報の変化は、ＥＲ又はＥＰ以下であり、ＥＲ又はＥＰは、所定の値であり又は前記基地局からのシグナリングによって決定される、サブ帯域集合を形成すること、
のうちの少なくとも１つによって、前記チャネル測定の結果に基づいて前記Ｋ個のサブ帯域をＮ個のサブ帯域集合に分割するように構成されている装置。
【請求項４６】
請求項３９に記載の装置において、前記フィードバックモジュールは、更に、前記基地局にＮ、Ｋｎ、及びＭｎのうちの少なくとも１つの値を報告するように構成されている装置。
【請求項４７】
基地局に設けられるチャネル状態情報（ＣＳＩ）フィードバック装置であって、
端末から、Ｍ個のサブ帯域のプリコーディングコードブックインデックスに関連する重み付き係数の位相インジケータ（ＰＩ）及び／又は相対電力インジケータ（ＲＰＩ）を受信するように構成された通信モジュールを備え、
前記Ｍ個のサブ帯域は、前記端末によって、ＣＳＩ報告帯域のＫ個のサブ帯域から選択され、
Ｍ及びＫは１以上の整数であり、Ｍ＜Ｋであり、各サブ帯域はＲ個のリソースブロック（ＲＢ）からなる集合であり、Ｒは１以上の整数である装置。
【請求項４８】
請求項４７に記載の装置において、前記通信モジュールは、更に、構成シグナリングによって、前記端末に前記Ｍの値を通知するように構成されている装置。
【請求項４９】
請求項４７に記載の装置において、前記通信モジュールは、更に、構成シグナリングによって、前記Ｋ個のサブ帯域内のＭ個のサブ帯域のくし形分布の次数情報を前記端末に通知するように構成されている装置。
【請求項５０】
請求項４７に記載の装置において、前記通信モジュールは、更に、命令シグナリングによって、前記Ｋ個のサブ帯域から、ＰＩ及び／又はＲＰＩ報告のためのＭ個のサブ帯域を選択するように前記端末に通知するように構成されている装置。
【請求項５１】
請求項４７に記載の装置において、前記通信モジュールは、更に、前記端末から、前記Ｋ個のサブ帯域のうちの前記Ｍ個のサブ帯域の番号情報を受信するように構成されている装置。
【請求項５２】
請求項４７に記載の装置において、前記通信モジュールは、更に、前記報告帯域幅のＫ個のサブ帯域をＮ個のサブ帯域集合に分割するように前記端末に通知するように構成されている装置。
【請求項５３】
請求項４７に記載の装置において、前記通信モジュールは、更に、各サブ帯域集合から１以上のサブ帯域を決定し、ＰＩ及び／又はＲＰＩ報告のためのサブ帯域としてＭ個のサブ帯域を形成するように前記端末に通知するように構成されている装置。
【請求項５４】
請求項４７に記載の装置において、前記通信モジュールは、更に、前記報告帯域幅のＫ個のサブ帯域をＮ個のサブ帯域集合に分割するように前記端末に通知するように構成され、第ｎのサブ帯域集合は、Ｋｎ個のサブ帯域を含む装置。
【請求項５５】
請求項４７に記載の装置において、前記通信モジュールは、更に、ｎを１以上の整数とし、ｎ≦Ｎとして、ＰＩ報告又はＲＰＩ報告のためのサブ帯域として、第ｎのサブ帯域集合からＭｎ個のサブ帯域を決定するように前記端末に通知するように構成されている装置。
【請求項５６】
請求項４７に記載の装置において、前記通信モジュールは、更に、前記端末から、
サブ帯域集合の数、
各サブ帯域集合内のサブ帯域の数、及び
各サブ帯域集合内のＰＩ及び／又はＲＰＩ報告のためのサブ帯域の数、
のうちの少なくとも１つを受信するように構成されている装置。
【請求項５７】
コンピュータプログラムが格納された記憶媒体であって、
前記コンピュータプログラムは、プロセッサによって、請求項１から請求項１８のいずれか一項に記載のステップ又は請求項１９から請求項２９のいずれか一項に記載のステップを実行するために実行可能である、記憶媒体。
【発明の詳細な説明】
【技術分野】
【０００１】
［関連出願への相互参照］
本出願は、２０１７年６月１６日に出願された中国特許出願第２０１７１０４５８９２４．Ｘ号に基づき、その優先権を主張し、この文献の全体は、参照によって本願に援用される。
【０００２】
［技術分野］
本開示は、以下に限定されるものではないが、チャネル品質測定の分野に関する。
【背景技術】
【０００３】
無線通信システムでは、送信側と受信側で複数のアンテナを使用して、より高いレートを実現する。多入力多出力（Multiple-Input Multiple-Output：ＭＩＭＯ）の原理は、幾つかのチャネル特性を用いてチャネル特性に整合する多層伝送を確立し、これにより帯域幅と電力を増加することなくシステム性能を効果的に改善することである。ＭＩＭＯは、現在のシステムで広く使用されている有望な技術である。例えば、ロングタームエボリューション（Long Term Evolution：ＬＴＥ）及びＬＴＥの拡張版であるロングタームエボリューション−アドバンスド（Long Term Evolution-Advanced：ＬＴＥ−Ａ）は、多数のマルチアンテナ伝送モード（伝送モード２から伝送モード１０）を備えている。
【０００４】
通常、２つのチャネル状態情報（Channel State Information：ＣＳＩ）フィードバックメカニズム、すなわち、周期的フィードバックと非周期的フィードバックがある。例えば、ＬＴＥシステムでは、周期的フィードバックは、物理アップリンク制御チャネル（Physical Uplink Control Channel：ＰＵＣＣＨ）上で実行され、非周期的フィードバックは、物理アップリンク共有チャネル（Physical Uplink Shared Channel：ＰＵＳＣＨ）上で実行される。端末は、次の２つの方式でＣＳＩを報告できる。まず、端末は、基地局によって構成されて、チャネル情報を測定及び量子化し、ＰＵＣＣＨ上で量子化されたＣＳＩを周期的に報告してもよく、ＣＳＩは、ランクインジケータ（Rank Indicator：ＲＩ）、プリコーディング行列インジケータ（Precoding Matrix Indicator：ＰＭＩ）、及びチャネル品質インジケーション（Channel Quality Indication：ＣＱＩ）を含む。あるいは、必要に応じて、基地局によって端末を非周期的にトリガし、主にＰＵＳＣＨ上でＲＩ、ＰＭＩ、及びＣＱＩを含むＣＳＩを報告させてもよい。非周期的フィードバックは、周期的フィードバックの実時間性能が低いという問題及び制御チャネルオーバーヘッドによりＣＳＩ量子化精度が制限されるという問題を解決する。
【０００５】
コードブック（codebook）に基づく量子化チャネル情報フィードバックの基本原理は、以下の通りである。
【０００６】
制限されたフィードバックチャネル容量がＢｂｐｓ／Ｈｚであり、利用可能なコードワードの数がＮ＝２Ｂであると仮定する。チャネル行列の固有ベクトルを量子化してコードブック空間Ｒ＝｛Ｆ１，Ｆ２，…，ＦＮ｝を形成する。送信側及び受信側は、（両側で同じ）コードブックを保存又はリアルタイムで生成できる。取得されたチャネル行列Ｈに基づいて、受信側は、一定の基準に基づいて、Ｒからチャネルに最も適合するコードワード
【数１】
2020523880.tif 000003
を選択し、コードワードシーケンス番号ｉ（すなわち、ＰＭＩ）を送信側に通知する。送信側は、シーケンス番号ｉに基づいて対応するプリコーディングコードワード
【数２】
2020523880.tif 000004
を発見し、これによりチャネル情報を取得し、ここで、
【数３】
2020523880.tif 000005
は、チャネルの固有ベクトル情報である。
【０００７】
ＬＴＥにおけるコードワード設計の原理は、以下の通りである。
【０００８】
ＬＴＥコードブックは、規格の発展とともに進化し続けている。リリース８及びリリース９では、４アンテナコードブック及び２アンテナコードブックは、１つのＰＭＩを示す単一コードワードコードブックであり、ｉ＝１，…，Ｎ１１として表され、ここで、Ｎ１１は、コードワードの数である。リリース１０の８アンテナコードブック及びリリース１２の４アンテナコードブックは、Ｗ＝Ｗ１Ｗ２の形式で書かれたダブルコードワードのコードブックであり、ここで、Ｗ１は、第１のコードブックと呼ばれる長期フィードバック用のコードブックであり、Ｗ２は、第２のコードブックと呼ばれる短期フィードバック用のコードブックである。Ｗ２は、Ｗ１コードワード内のＭ１個の候補ビームから１個のビームを選択するため、及び同じデータ層上の各偏光方向において選択されたビームの同相化（co-phasing）を決定するために使用される。Ｗ２内の各コードワードは、ＰＭＩ２によって量子化及び報告され、ｉ２＝１，…，Ｍ１として表され、ここで、Ｍ１は、Ｗ２の数であり、詳細は、ＬＴＥリリース１０に記されている。
【０００９】
リリース１２より前のコードワードは、１Ｄアンテナアレイ用に設計されており、１Ｄコードワードのカテゴリに属する。リリース１３では、より多くのアンテナを使用することにより、コードブックの次元が増加する。アンテナのトポロジーは、一般的に平面であり、すなわち、２次元アンテナアレイのために２次元コードワードが設計される。したがって、第１のコードブックＷ１内の各ビームは、ｖｍ及びｕｎがそれぞれ第１次元アンテナ及び第２次元アンテナの離散フーリエ変換（Discrete Fourier Transform：ＤＦＴ）ベクトルである２次元形式
【数４】
2020523880.tif 000006
を有し、
【数５】
2020523880.tif 000007
は、ｖｍ及びｕｎのクロネッカー積（Kronecker product）を表し、ここで、ｍ＝１，２，…，Ｂ１であり、ｎ＝１，２，…，Ｂ２である。第１次元ポート（アンテナ、ポート、送信ユニット、双極子、アレイ素子、その他の信号を送信できる装置を含む）の数は、Ｎ１であり、第２次元ポートの数は、Ｎ２である。第１次元ポートに対応するＤＦＴは、係数Ｏ１でオーバーサンプリングされ、第２次元ポートに対応するＤＦＴは、係数Ｏ２でオーバーサンプリングされる。第１次元アンテナ又は第２次元アンテナの上述のＤＦＴベクトルの数は、ポートの数にオーバーサンプリング係数を乗算した数であり、したがって、Ｂ１＝Ｎ１＊Ｏ１、Ｂ２＝Ｎ２＊Ｏ２であり、ここで、Ｏ１は、第１次元のオーバーサンプリング係数であり、Ｏ２は、第２次元のオーバーサンプリング係数である。第１のコードブックの第１次元コードブックは、ＰＭＩ１１によって示され、ｉ１１＝１，…，Ｎ１１として表され、第１のコードブックの第２次元コードブックは、ＰＭＩ１２によって示され、ｉ１２＝１，…，Ｎ１２として表される。ＰＭＩ１１及びＰＭＩ１２の各インデックス値に対して、Ｍ１個のＷ２コードワードがあり、各Ｗ２コードワードは、Ｗ１から１つの２次元ビーム
【数６】
2020523880.tif 000008
を選択するため及び各偏光方向における同相化のためのものである。対応するコードワードインデックスは、ＰＭＩ２であり、ｉ２＝１，…，Ｍ１として表される。
【００１０】
一般性を失うことなく、第１次元ポート数Ｎ１１＝１又は第２次元ポート数Ｎ１２＝１の場合、コードワードは１Ｄコードワードとなり、第１次元ポート数Ｎ１１＞１、第２次元ポート数Ｎ１２＞１の場合、コードワードは２Ｄコードワードとなる。１Ｄコードワードであって単一コードワード構造を有する場合、そのコードワードは、ＰＭＩ又はｉによって表される。１Ｄコードワードであって、ＰＭＩ１とＰＭＩ２のダブルコードワード構造を有する場合、インデックスは、ｉ１／ｉ２によって表される。２Ｄコードワードの場合、コードワードは、ＰＭＩ１１、ＰＭＩ１２、及びＰＭＩ２、又はインデックスｉ１１、ｉ１２、及びｉ２の組み合わせによって表される。
【００１１】
現在のシステムでは、プリコーディング行列フィードバック（precoding matrix feedback）及びビーム構成は、チャネル内の最強のパス情報に基づいており、チャネルの他のパスの情報は無視され、その結果、フィードバック又は構成された情報とチャネルとの間に不整合が生じ、これによってシステム性能に影響が生じる。この問題を解決するために、第３世代パートナーシッププロジェクト（３ＧＰＰ）では、第５世代（５Ｇ）に関する議論において、新無線アクセス（New Radio Access：ＮＲ）へのマルチパス情報の線形結合に基づくコードブックを導入し、これにより、フィードバック精度及びシステム性能を大幅に改善できる。線形結合に基づくコードブックを使用するＣＳＩフィードバック方法では、チャネル情報は、複数のビームの線形結合に量子化され、すなわち、各層のプリコーディングコードワードは、複数の１次元又は２次元ＤＦＴベクトルの線形結合であり、ここで、１次元又は２次元ＤＦＴベクトルのそれぞれは、上記の方式におけるＰＭＩによって報告できる。各ＰＭＩは、振幅と位相を有する重み付き係数に対応し、振幅は、相対電力インジケータ（Relative Power Indicator：ＲＰＩ）によって報告でき、位相は、位相インジケータ（Phase Indicator：ＰＩ）によって報告できる。
【００１２】
複数のパスの組み合わせに基づくコードブックは、チャネルと良好に整合するが、この組み合わせのために、各パスの振幅係数及び位相係数を報告又は構成する必要があるため、オーバーヘッドがかなり大きくなる。更に、サブ帯域上のＲＰＩ及びＰＩのフィードバックにより、より高い性能を達成できるが、ＲＰＩ及びＰＩのフィードバックを各サブ帯域上で行うと、フィードバックのオーバーヘッドが大きくなる。
【００１３】
［サマリー］
本開示の実施形態は、ＣＳＩフィードバック方法及び装置、並びに記憶媒体を提供する。
【００１４】
本開示の実施形態は、以下の技術的詳細を含む。
【００１５】
端末に適用可能なＣＳＩフィードバック方法は、以下を含む。
【００１６】
‐参照信号に基づいてチャネル測定を行うこと。
【００１７】
‐ＣＳＩ報告帯域のＫ個のサブ帯域からＭ個のサブ帯域を選択し、Ｍ個のサブ帯域のプリコーディングコードブックインデックスに関連する重み付き係数の相対電力インジケータ（ＲＰＩ）及び／又は位相インジケータ（ＰＩ）を基地局に報告すること。
【００１８】
ここで、Ｍ及びＫは１以上の整数であり、Ｍ＜Ｋであり、各サブ帯域はＲ個のリソースブロック（ＲＢ）からなる集合であり、Ｒは１以上の整数である。
【００１９】
上記実施形態は、更に、基地局からの構成シグナリング又は事前に定義された規則に基づいて、Ｍの値を決定することを含むことができる。
【００２０】
上記実施形態において、ＣＳＩ報告帯域のＫ個のサブ帯域からＭ個のサブ帯域を選択し、Ｍ個のサブ帯域のＲＰＩ及び／又はＰＩを報告することは、以下のうちの少なくとも１つを含むことができる。
【００２１】
‐基地局からの命令シグナリングに基づいて、Ｋ個のサブ帯域からＰＩ及び／又はＲＰＩ報告のためのＭ個のサブ帯域を選択する。
【００２２】
‐事前に定義された規則に基づいて、Ｋ個のサブ帯域からＰＩ及び／又はＲＰＩ報告のためのＭ個のサブ帯域を選択する。
【００２３】
‐チャネル測定の結果に基づいて、Ｋ個のサブ帯域からＰＩ及び／又はＲＰＩ報告のためのＭ個のサブ帯域を選択する。
【００２４】
上記実施形態において、命令シグナリングは、以下のうちの少なくとも１つを含むことができる。
【００２５】
‐物理層シグナリング、無線リソース制御（Radio Resource Control：ＲＲＣ）シグナリング、メディアアクセス制御（Medium Access Control：ＭＡＣ）シグナリング、ダウンリンク制御情報（Downlink Control Information：ＤＣＩ）、及びビットマップ。
【００２６】
上記実施形態において、事前に定義された規則に基づいて、Ｋ個のサブ帯域からＭ個のサブ帯域を選択し、Ｍ個のサブ帯域のＰＩ及び／又はＲＰＩを報告することは、事前に定義された規則に基づいて選択を行うことを含み、事前に定義された規則は、以下のうちの少なくとも１つを含む。
【００２７】
‐Ｋ個のサブ帯域から周波数が最も低いＭ個のサブ帯域を選択する。
【００２８】
‐Ｋ個のサブ帯域から周波数が最も高いＭ個のサブ帯域を選択する。
【００２９】
‐Ｋ個のサブ帯域から周波数が最も高いサブ帯域及び周波数が最も低いサブ帯域を含むＭ個のサブ帯域を選択する。
【００３０】
‐Ｋ個のサブ帯域において、くし形分布にあるＭ個のサブ帯域を選択する。
【００３１】
上記実施形態において、チャネル測定の結果に基づいて、Ｋ個のサブ帯域からＭ個のサブ帯域を選択し、Ｍ個のサブ帯域のＰＩ及び／又はＲＰＩを報告することは、以下を含むことができる。
【００３２】
‐Ｋ個のサブ帯域のＣＱＩを計算し、Ｋ個のサブ帯域のうち、ＰＩ及び／又はＲＰＩ報告のために最良のＣＱＩを有するＭ個のサブ帯域を選択する。
【００３３】
上記実施形態は、更に、以下を含むことができる。
【００３４】
‐Ｋ個のサブ帯域のうち、最良のＣＱＩを有するＭ個のサブ帯域の番号情報を基地局に報告する。
【００３５】
上記実施形態において、Ｋ個のサブ帯域のＣＱＩを計算することは、以下を含むことができる。
【００３６】
‐チャネル測定から得られるプリコーディング行列インジケータ（Precoding Matrix Indicator：ＰＭＩ）、ＲＰＩ及びＰＩに基づいてＣＱＩを計算する。
【００３７】
上記実施形態において、ＣＳＩ報告帯域のＫ個のサブ帯域からＰＩ及び／又はＲＰＩのフィードバックのためのＭ個のサブ帯域を選択することは、以下を含むことができる。
【００３８】
‐Ｋ個のサブ帯域をＮ個のサブ帯域集合に分割する。
【００３９】
‐各サブ帯域集合から１以上のサブ帯域を決定し、ＰＩ報告及び／又はＲＰＩ報告のためのサブ帯域としてＭ個のサブ帯域を形成する。
【００４０】
上記実施形態において、ＣＳＩ報告帯域のＫ個のサブ帯域をＮ個のサブ帯域集合に分割することは、以下を含むことができる。
【００４１】
‐基地局からのシグナリング、事前に定義された規則、及びチャネル測定の結果のうちの少なくとも１つに基づいて分割を行う。
【００４２】
上記実施形態において、Ｋ個のサブ帯域をＮ個のサブ帯域集合に分割し、各サブ帯域集合から１以上のサブ帯域を決定することは、以下を含むことができる。
【００４３】
‐Ｋ個のサブ帯域をＮ個のサブ帯域集合に分割し、第ｎのサブ帯域集合は、Ｋｎ個のサブ帯域を含む。
【００４４】
‐ＰＩ又はＲＰＩ報告のためのサブ帯域として、第ｎのサブ帯域集合からＭｎ個のサブ帯域を決定し、ｎは１以上の整数であり、ｎ≦Ｎである。
【００４５】
上記実施形態は、更に、基地局からの構成シグナリング又は事前に定義された規則に基づいてＭｎの値を決定することを更に含むことができる。
【００４６】
上記実施形態において、各サブ帯域集合から１以上のサブ帯域を決定することは、以下のうちの少なくとも１つを含むことができる。
【００４７】
‐基地局からの命令シグナリングに基づいて、各サブ帯域集合からＰＩ及び／又はＲＰＩ報告のための対応する数のサブ帯域を選択する。
【００４８】
‐事前に定義された規則に基づいて、各サブ帯域集合からＰＩ及び／又はＲＰＩ報告のための対応する数のサブ帯域を選択する。
【００４９】
‐チャネル測定の結果に基づいて、各サブ帯域集合からＰＩ及び／又はＲＰＩ報告のための対応する数のサブ帯域を選択する。
【００５０】
上記実施形態において、チャネル測定の結果に応じて、各サブ帯域集合からＰＩ又はＲＰＩ報告のための対応する数のサブ帯域を選択することは、以下を含むことができる。
【００５１】
‐Ｋ個のサブ帯域のＣＱＩを計算する。
【００５２】
‐第ｎのサブ帯域集合のＫｎ個のサブ帯域から、対応するＰＩ、対応するＲＰＩ、及びＭｎ個のサブ帯域を示す情報のうちの少なくとも１つを報告するために最も高いＣＱＩを有するＭｎ個のサブ帯域を選択する。
【００５３】
上記実施形態において、事前に定義された規則に基づいて、第ｎのサブ帯域集合のＫｎ個のサブ帯域から、対応するＰＩ及び／又はＲＰＩを報告するためのＭｎ個のサブ帯域を選択することは、以下のうちの少なくとも１つを含むことができる。
【００５４】
‐Ｋｎ個のサブ帯域から周波数が最も低いＭｎ個のサブ帯域を選択する。
【００５５】
‐Ｋｎ個のサブ帯域から周波数が最も高いＭｎ個のサブ帯域を選択する。
【００５６】
‐Ｋｎ個のサブ帯域から周波数が最も高いサブ帯域及び周波数が最も低いサブ帯域を含むＭｎ個のサブ帯域を選択する。
【００５７】
‐Ｋｎ個のサブ帯域において、くし形分布にあるＭｎ個のサブ帯域を選択する。
【００５８】
上記実施形態は、更に、事前に定義された規則に基づいてＫ個のサブ帯域をＮ個のサブ帯域集合に分割することを含み、事前に定義された規則は、少なくとも以下を含むことができる。
【００５９】
‐Ｋ個のサブ帯域をＮ個のサブ帯域集合に均等に分割する。
【００６０】
上記実施形態において、チャネル測定の結果に基づいてＫ個のサブ帯域をＮ個のサブ帯域集合に分割することは、以下のうちの少なくとも１つを含むことができる。
【００６１】
‐プリコーディングコードブックインデックスに関連するＲＰＩ又はＰＩによって示される情報を有するサブ帯域をそれぞれ含むサブ帯域集合を形成し、各情報の差は、ＤＲ又はＤＰ以下であり、ＤＲ又はＤＰは、所定の値であり又は基地局からのシグナリングによって決定される。
【００６２】
‐プリコーディングコードブックインデックスに関連するＲＰＩ又はＰＩによって示される情報を有するサブ帯域をそれぞれ含むサブ帯域集合を形成し、サブ帯域集合内のサブ帯域間の情報の変化は、ＥＲ又はＥＰ以下であり、ＥＲ又はＥＰは、所定の値であり又は基地局からのシグナリングによって決定される。
【００６３】
上記実施形態は、更に、以下を含むことができる。
【００６４】
‐Ｎ、Ｋｎ、及びＭｎのうちの少なくとも１つの値を基地局に報告する。
【００６５】
本開示の実施形態に基づいて提供される、基地局に適用可能なチャネル状態情報（ＣＳＩ）フィードバック方法は、以下を含む。
【００６６】
‐端末から、Ｍ個のサブ帯域のプリコーディングコードブックインデックスに関連する重み付き係数の相対電力インジケータ（ＲＰＩ）及び／又は位相インジケータ（ＰＩ）を受信することであって、Ｍ個のサブ帯域は、端末によって、ＣＳＩ報告帯域のＫ個のサブ帯域から選択されていること。
【００６７】
ただし、Ｍ及びＫは１以上の整数であり、Ｍ＜Ｋであり、各サブ帯域はＲ個のリソースブロック（ＲＢ）からなる集合であり、Ｒは１以上の整数である。
【００６８】
上記実施形態は、更に、以下を含むことができる。
【００６９】
‐構成シグナリングによって、Ｍの値を端末に通知する。
【００７０】
上記実施形態は、更に、以下を含むことができる。
【００７１】
‐構成シグナリングによって、Ｋ個のサブ帯域内のＭ個のサブ帯域のくし形分布の次数情報を端末に通知する。
【００７２】
上記実施形態は、更に、以下を含むことができる。
【００７３】
‐命令シグナリングによって、Ｋ個のサブ帯域からＰＩ及び／又はＲＰＩ報告のためのＭ個のサブ帯域を選択するように端末に通知する。
【００７４】
命令シグナリングは、以下のうちの少なくとも１つを含むことができる。
【００７５】
‐物理層シグナリング、無線リソース制御（ＲＲＣ）シグナリング、メディアアクセス制御（ＭＡＣ）シグナリング、ダウンリンク制御情報（ＤＣＩ）、及びビットマップ。
【００７６】
上記実施形態は、更に、以下を含むことができる。
【００７７】
‐端末から、Ｋ個のサブ帯域のうちのＭ個のサブ帯域の番号情報を受信する。
【００７８】
上記実施形態は、更に、以下を含むことができる。
【００７９】
‐報告帯域のＫ個のサブ帯域をＮ個のサブ帯域集合に分割するように端末に通知する。
【００８０】
上記実施形態は、更に、以下を含むことができる。
【００８１】
‐各サブ帯域集合から１以上のサブ帯域を決定し、ＰＩ報告及び／又はＲＰＩ報告のためのサブ帯域としてＭ個のサブ帯域を形成するように端末に通知する。
【００８２】
上記実施形態は、更に、以下を含むことができる。
【００８３】
‐報告帯域幅のＫ個のサブ帯域をＮ個のサブ帯域集合に分割するように端末に通知し、第ｎのサブ帯域集合は、Ｋｎ個のサブ帯域を含む。
【００８４】
上記実施形態は、更に、以下を含むことができる。
【００８５】
‐ＰＩ又はＲＰＩ報告のためのサブ帯域として、第ｎのサブ帯域集合からＭｎ個のサブ帯域を決定するように端末に通知し、ｎは１以上の整数であり、ｎ≦Ｎである。
【００８６】
上記実施形態は、更に、以下を含むことができる。
【００８７】
‐端末から、サブ帯域集合の数、各サブ帯域集合内のサブ帯域の数、及び各サブ帯域集合内のＰＩ又はＲＰＩ報告のためのサブ帯域の数のうちの少なくとも１つを受信する。
【００８８】
本開示の実施形態に基づいて提供される、端末に設けられるチャネル状態情報（ＣＳＩ）フィードバック装置は、以下を含む。
【００８９】
‐参照信号に基づいてチャネル測定を行うように構成された測定モジュール。
【００９０】
‐ＣＳＩ報告帯域のＫ個のサブ帯域からＭ個のサブ帯域を選択し、Ｍ個のサブ帯域のプリコーディングコードブックインデックスに関連する重み付き係数のＰＩ及び／又はＲＰＩを基地局に報告するように構成されたフィードバックモジュール。
【００９１】
ただし、Ｍ及びＫは１以上の整数であり、Ｍ＜Ｋであり、各サブ帯域はＲ個のリソースブロック（ＲＢ）からなる集合であり、Ｒは１以上の整数である。
【００９２】
上記実施形態において、フィードバックモジュールは、更に、基地局からの構成シグナリング又は事前に定義された規則に基づいてＭの値を決定するように構成してもよい。
【００９３】
上記実施形態において、フィードバックモジュールは、以下のうちの少なくとも１つによって、ＣＳＩ報告帯域のＫ個のサブ帯域からＰＩ及び／又はＲＰＩ報告のフィードバックのためのＭ個のサブ帯域を選択するように構成してもよい。
【００９４】
‐基地局からの命令シグナリングに基づいて、Ｋ個のサブ帯域からＰＩ及び／又はＲＰＩ報告のためのＭ個のサブ帯域を選択する。
【００９５】
‐事前に定義された規則に基づいて、Ｋ個のサブ帯域からＰＩ及び／又はＲＰＩ報告のためのＭ個のサブ帯域を選択する。
【００９６】
‐チャネル測定の結果に基づいて、Ｋ個のサブ帯域からＰＩ及び／又はＲＰＩ報告のためのＭ個のサブ帯域を選択する。
【００９７】
上記実施形態において、フィードバックモジュールは、更に、事前に定義された規則に基づいて、Ｍ個のサブ帯域からＰＩ及び／又はＲＰＩ報告のためのＫ個のサブ帯域を選択するように構成してもよく、事前に定義された規則は、以下のうちの少なくとも１つを含む。
【００９８】
‐Ｋ個のサブ帯域から周波数が最も低いＭ個のサブ帯域を選択する。
【００９９】
‐Ｋ個のサブ帯域から周波数が最も高いＭ個のサブ帯域を選択する。
【０１００】
‐Ｋ個のサブ帯域から周波数が最も高いサブ帯域及び周波数が最も低いサブ帯域を含むＭ個のサブ帯域を選択する。
【０１０１】
‐Ｋ個のサブ帯域において、くし形分布にあるＭ個のサブ帯域を選択する。
【０１０２】
上記実施形態において、フィードバックモジュールは、更に、以下によって、チャネル測定の結果に基づいて、Ｋ個のサブ帯域からＰＩ及び／又はＲＰＩ報告のためのＭ個のサブ帯域を選択するように構成してもよい。
【０１０３】
‐Ｋ個のサブ帯域のＣＱＩを計算し、Ｋ個のサブ帯域のうち、最良のＣＱＩを有するＭ個のサブ帯域をＰＩ及び／又はＲＰＩ報告のために選択する。
【０１０４】
上記実施形態において、フィードバックモジュールは、更に、Ｋ個のサブ帯域のうち、最良のＣＱＩを有するＭ個のサブ帯域の番号情報を基地局に報告するように構成してもよい。
【０１０５】
上記実施形態において、フィードバックモジュールは、更に、以下によって、Ｋ個のサブ帯域のＣＱＩを計算するように構成してもよい。
【０１０６】
‐チャネル測定から得られるプリコーディング行列インジケータ（ＰＭＩ）、ＲＰＩ及びＰＩに基づいてＣＱＩを計算する。
【０１０７】
上記実施形態において、フィードバックモジュールは、更に、以下によって、ＣＳＩ報告帯域のＫ個のサブ帯域からＰＩ及び／又はＲＰＩのフィードバックのためのＭ個のサブ帯域を選択するように構成してもよい。
【０１０８】
‐Ｋ個のサブ帯域をＮ個のサブ帯域集合に分割する。
【０１０９】
‐各サブ帯域集合から１以上のサブ帯域を決定し、ＰＩ報告及び／又はＲＰＩ報告のためのサブ帯域としてＭ個のサブ帯域を形成する。
【０１１０】
上記実施形態において、フィードバックモジュールは、更に、以下のうちの少なくとも１つに基づいて、ＣＳＩ報告帯域のＫ個のサブ帯域をＮ個のサブ帯域集合に分割するように構成してもよい。
【０１１１】
‐基地局からのシグナリング、事前に定義された規則、及びチャネル測定の結果。
【０１１２】
上記実施形態において、Ｋ個のサブ帯域をＮ個のサブ帯域集合に分割し、各サブ帯域集合から１以上のサブ帯域を決定することは、以下を含むことができる。
【０１１３】
‐Ｋ個のサブ帯域をＮ個のサブ帯域集合に分割し、第ｎのサブ帯域集合は、Ｋｎ個のサブ帯域を含む。
【０１１４】
‐ＰＩ又はＲＰＩ報告のためのサブ帯域として、第ｎのサブ帯域集合からＭｎ個のサブ帯域を決定し、ｎは１以上の整数であり、ｎ≦Ｎである。
【０１１５】
上記実施形態において、フィードバックモジュールは、更に、基地局からの構成シグナリング又は事前に定義された規則に基づいてＭｎの値を決定するように構成してもよい。
【０１１６】
上記実施形態において、フィードバックモジュールは、更に、以下のうちの少なくとも１つによって、各サブ帯域集合から１以上のサブ帯域を決定するように構成してもよい。
【０１１７】
‐基地局からの命令シグナリングに基づいて、各サブ帯域集合からＰＩ及び／又はＲＰＩ報告のための対応する数のサブ帯域を選択する。
【０１１８】
‐事前に定義された規則に基づいて、各サブ帯域集合からＰＩ及び／又はＲＰＩ報告のための対応する数のサブ帯域を選択する。
【０１１９】
‐チャネル測定の結果に基づいて、各サブ帯域集合からＰＩ及び／又はＲＰＩ報告のための対応する数のサブ帯域を選択する。
【０１２０】
上記実施形態において、フィードバックモジュールは、更に、以下によって、チャネル測定の結果に基づいて、各サブ帯域集合からＰＩ及び／又はＲＰＩ報告のための対応する数のサブ帯域を選択するように構成してもよい。
【０１２１】
‐Ｋ個のサブ帯域のＣＱＩを計算する。
【０１２２】
‐第ｎのサブ帯域集合のＫｎ個のサブ帯域から、対応するＰＩ、対応するＲＰＩ、及びＭｎ個のサブ帯域を示す情報のうちの少なくとも１つを報告するために最も高いＣＱＩを有するＭｎ個のサブ帯域を選択する。
【０１２３】
上記実施形態において、フィードバックモジュールは、更に、以下のうちの少なくとも１つによって、事前に定義された規則に基づいて、第ｎのサブ帯域集合のＫｎ個のサブ帯域から、対応するＰＩ及び／又はＲＰＩを報告するためのＭｎ個のサブ帯域を選択するように構成してもよい。
【０１２４】
‐Ｋｎ個のサブ帯域から周波数が最も低いＭｎ個のサブ帯域を選択する。
【０１２５】
‐Ｋｎ個のサブ帯域から周波数が最も高いＭｎ個のサブ帯域を選択する。
【０１２６】
‐Ｋｎ個のサブ帯域から、周波数が最も高いサブ帯域及び周波数が最も低いサブ帯域を含むＭｎ個のサブ帯域を選択する。
【０１２７】
‐Ｋｎ個のサブ帯域において、くし形分布にあるＭｎ個のサブ帯域を選択する。
【０１２８】
上記実施形態において、フィードバックモジュールは、更に、少なくとも以下によって、事前に定義された規則に基づいて、Ｋ個のサブ帯域をＮ個のサブ帯域集合に分割するように構成してもよい。
【０１２９】
‐Ｋ個のサブ帯域をＮ個のサブ帯域集合に均等に分割する。
【０１３０】
上記実施形態において、フィードバックモジュールは、更に、以下のうちの少なくとも１つによって、チャネル測定の結果に基づいてＫ個のサブ帯域をＮ個のサブ帯域集合に分割する構成してもよい。
【０１３１】
‐プリコーディングコードブックインデックスに関連するＲＰＩ又はＰＩによって示される情報を有するサブ帯域をそれぞれ含むサブ帯域集合を形成し、各情報の差は、ＤＲ又はＤＰ以下であり、ＤＲ又はＤＰは、所定の値であり又は基地局からのシグナリングによって決定される。
【０１３２】
‐プリコーディングコードブックインデックスに関連するＲＰＩ又はＰＩによって示される情報を有するサブ帯域をそれぞれ含むサブ帯域集合を形成し、サブ帯域集合内のサブ帯域間の情報の変化は、ＥＲ又はＥＰ以下であり、ＥＲ又はＥＰは、所定の値であり又は基地局からのシグナリングによって決定される。
【０１３３】
上記実施形態において、フィードバックモジュールは、更に、基地局にＮ、Ｋｎ、及びＭｎのうちの少なくとも１つの値を報告するように構成してもよい。
【０１３４】
本開示の実施形態に基づいて提供される、基地局に設けられるチャネル状態情報（ＣＳＩ）フィードバック装置は、以下を含む。
【０１３５】
‐端末から、Ｍ個のサブ帯域のプリコーディングコードブックインデックスに関連する重み付き係数の位相インジケータ（ＰＩ）及び／又は相対電力インジケータ（ＲＰＩ）を受信するように構成された通信モジュール。Ｍ個のサブ帯域は、端末によって、ＣＳＩ報告帯域のＫ個のサブ帯域から選択される。
【０１３６】
ただし、Ｍ及びＫは１以上の整数であり、Ｍ＜Ｋであり、各サブ帯域はＲ個のリソースブロック（ＲＢ）からなる集合であり、Ｒは１以上の整数である。
【０１３７】
上記実施形態において、通信モジュールは、更に、構成シグナリングによって、Ｍの値を端末に通知するように構成してもよい。
【０１３８】
上記実施形態において、通信モジュールは、更に、構成シグナリングによって、Ｋ個のサブ帯域内のＭ個のサブ帯域のくし形分布の次数情報を端末に通知するように構成してもよい。
【０１３９】
上記実施形態において、通信モジュールは、命令シグナリングによって、Ｋ個のサブ帯域から、ＰＩ及び／又はＲＰＩ報告のためのＭ個のサブ帯域を選択するように端末に通知するように構成してもよい。
【０１４０】
上記実施形態において、通信モジュールは、更に、端末から、Ｋ個のサブ帯域のうちのＭ個のサブ帯域の番号情報を受信するように構成してもよい。
【０１４１】
上記実施形態において、通信モジュールは、更に、ＣＳＩ報告帯域のＫ個のサブ帯域をＮ個のサブ帯域集合に分割するように端末に通知するように構成してもよい。
【０１４２】
上記実施形態において、通信モジュールは、更に、各サブ帯域集合から１個以上のサブ帯域を決定し、ＰＩ及び／又はＲＰＩ報告のためのサブ帯域としてＭ個のサブ帯域を形成するように端末に通知するように構成してもよい。
【０１４３】
上記実施形態において、通信モジュールは、更に、報告帯域幅のＫ個のサブ帯域をＮ個のサブ帯域集合に分割するように端末に通知するように構成してもよく、ここで、第ｎのサブ帯域集合は、Ｋｎ個のサブ帯域を含む。
【０１４４】
上記実施形態において、通信モジュールは、更に、ｎを１以上の整数として、ｎ≦Ｎとして、ＰＩ又はＲＰＩ報告のためのサブ帯域として、第ｎのサブ帯域集合からＭｎ個のサブ帯域を決定するように端末に通知するように構成してもよい。
【０１４５】
上記実施形態において、通信モジュールは、更に、端末から、サブ帯域集合の数、各サブ帯域集合内のサブ帯域の数、及び各サブ帯域集合内のＰＩ報告及び／又はＲＰＩ報告のためのサブ帯域の数の少なくとも１つを受信するように構成してもよい。
【０１４６】
また、本開示の一実施形態に基づく記憶媒体には、コンピュータプログラムが格納されている。このコンピュータプログラムは、端末側のいずれかの方法のステップを実行するために、又は基地局側のいずれかの方法のステップを実行するために、プロセッサによって実行可能である。
【０１４７】
既存の技術と比較して、本開示の実施形態は、以下の有利な効果を有する。
【０１４８】
本開示の技術的実施形態では、全てのサブ帯域のＲＰＩ及びＰＩを報告する代わりに、一部のサブ帯域のＲＰＩ及びＰＩのみを報告する。これにより、フィードバックオーバーヘッドが低減される。更に、ＰＩ及びＲＰＩによって示される振幅及び位相情報が異なるサブ帯域間で一定の相関性を示し、基地局がＭ個のサブ帯域から残りのサブ帯域の情報を補間できるため、ＣＳＩフィードバック性能を維持でき、これによって、線形結合コードブックに基づくフィードバックによるＣＳＩフィードバックオーバーヘッドが大きいという問題が解決される。
【図面の簡単な説明】
【０１４９】
【図１】本開示の一実施形態に基づく線形結合コードブックに基づくフィードバックの概略図である。
【図２】本開示の一実施形態に基づくＣＳＩフィードバック方法のフローチャートである。
【図３】本開示の一実施形態に基づくＣＳＩフィードバックの別の方法のフローチャートである。
【図４】本開示の一実施形態に基づくＣＳＩフィードバック装置の概略構成図である。
【図５】本開示の一実施形態に基づくＣＳＩフィードバック装置の概略構成図である。
【図６】本開示の実施形態１におけるサブ帯域フィードバックの概略図である。
【図７】本開示の実施形態２におけるサブ帯域フィードバックの概略図である。
【図８】本開示の実施形態１におけるくし形分布の概略図である。
【発明を実施するための形態】
【０１５０】
［詳細な説明］
以下、本開示の目的、技術的詳細、及び有利な効果をより明瞭にするために、添付図面を参照して本開示の実施形態を詳細に説明する。複数の実施形態及び実施形態自体の特徴は、矛盾が生じない限り、任意の手法で組み合わせることができる。
【０１５１】
図１に示すように、線形結合に基づくコードブックを使用するＣＳＩフィードバックの方法では、参照信号に基づいて端末によって測定されるチャネル情報は、複数のビームの線形結合に量子化され、すなわち、各層のプリコーディングコードワードは、複数の１次元又は２次元ＤＦＴベクトルの線形結合である。図１において、選択されたビームベクトルｃ０、ｃ１、及びｃ２は、従来のＰＭＩによって報告してもよく、ＰＭＩの重み付けに使用される係数は、振幅情報λ１及びλ２、並びに位相情報α１及びα２を含み、振幅情報は、ＲＰＩによって報告され、位相情報は、ＰＩによって報告される。従来のシングルパスコードブックＰＭＩフィードバックと比較して、ここでのフィードバックオーバーヘッドは、各ビームに対応するＲＰＩ及びＰＩ情報を報告する必要性のために大幅に増加している。
【０１５２】
無線チャネルにおけるビーム情報は、一般的に、周波数選択性が低い。したがって、線形結合に基づくコードブックフィードバックでは、基底ベクトルを示すビームＰＭＩ情報は、広帯域フィードバックを使用して基地局に報告できる。重み付き係数の位相は、遅延やランダム位相等の要因の影響を受けやすいため、周波数選択性が高くなり、したがって、ＰＩのためにサブ帯域のフィードバックが必要である。重み付き係数の振幅、すなわちＲＰＩについては、広帯域フィードバックが良好な性能を保証でき、サブ帯域のフィードバックによって性能は向上するが、オーバーヘッドが大きくなる。したがって、必要に応じて広帯域フィードバック又はサブ帯域フィードバックを構成できる。要約すると、高性能線形結合に基づくコードブックフィードバックは、各ビームについてのＲＰＩとＰＩのサブ帯域フィードバックを必要とする。
【０１５３】
ＲＰＩとＰＩのサブ帯域フィードバックを実現するためのより単純な手法は、各サブ帯域に対応するＲＰＩとＰＩを報告することであるが、これにより性能オーバーヘッドが大きくなる。ＰＩによって示される重み付き係数の位相は、主に、（ａ）ランダムな初期位相、及び（ｂ）周波数領域で位相シフトを引き起こす遅延、という２つの因子によって影響を受ける可能性がある。ランダムな初期位相に対する各偏光方向における位相変化は、各サブ帯域上の固定値とみなすことができる。遅延については、周波数領域における位相シフトは、周波数と共に線形に変化するとみなすことができる。したがって、異なる周波数帯域間のＰＩで示される位相の変化は、線形、区分線形、又は他の関数を用いてモデル化できる。ＲＰＩによって示される振幅情報は、異なる周波数帯域における幾つかの小さなランダムな因子によってのみ影響を受ける可能性があるが、全体的には安定している。要約すると、同じビームに対応するＰＩとＲＰＩで示される振幅と位相は、異なるサブ帯域間で一定の相関性を示す。
【０１５４】
本開示の一実施形態では、ＰＩ及びＲＰＩによって示される振幅及び位相の異なるサブ帯域間の相関性を利用して、サブ帯域フィードバックのオーバーヘッドを低減する。単純な方法は、各サブ帯域のＲＰＩ及びＰＩを報告することに代えて、サブ帯域の一部のみのＲＰＩ及びＰＩを提供することであり、これにより、オーバーヘッドが低減されたサブ帯域フィードバック方法が実現する。
【０１５５】
本開示の実施形態に基づいて端末に適用可能なＣＳＩフィードバック方法を図２に示す。この方法は、以下を含む。
【０１５６】
‐Ｓ１０１：参照信号に基づいてチャネル測定を行う。
【０１５７】
‐Ｓ１０２：ＣＳＩ報告帯域のＫ個のサブ帯域からプリコーディングコードブックインデックスに関連する重み付き係数のＰＩ及び／又はＲＰＩのフィードバックのためのＭ個のサブ帯域を選択する。
【０１５８】
ここで、Ｍ及びＫは１以上の整数であり、Ｍ＜Ｋであり、各サブ帯域はＲ個のリソースブロック（ＲＢ）からなる集合であり、Ｒは１以上の整数である。
【０１５９】
本開示の実施形態では、ＰＩ及び／又はＲＰＩの報告帯域幅は、合計Ｋ個のサブ帯域を含み、端末は、Ｋ個のサブ帯域のうちＭ個のサブ帯域に対応するＲＰＩ及び／又はＰＩを報告し、ここで、Ｍは、０より大きくＫより小さい整数であり、したがって、フィードバックオーバーヘッドが低減される。更に、ＰＩとＲＰＩによって示される振幅と位相の情報は、異なるサブ帯域間で一定の相関性を有し、基地局は、Ｍ個のサブ帯域から残りのサブ帯域の情報を補間できるので、ＣＳＩフィードバック性能を維持できる。
【０１６０】
Ｍの値は、基地局からの構成シグナリング又は事前に定義された規則の少なくとも１つに基づいて決定される。
【０１６１】
ステップＳ１０２では、以下のうちの少なくとも１つによって、ＣＳＩ報告帯域のＫ個のサブ帯域から、ＰＩ及び／又はＲＰＩのフィードバックのためのＭ個のサブ帯域が選択される。
【０１６２】
‐方式１：基地局からのシグナリングメッセージに基づいて、ＣＳＩ報告帯域のＫ個のサブ帯域から、ＰＩ及び／又はＲＰＩ報告のためのＭ個のサブ帯域を選択する。
【０１６３】
‐方式２：事前に定義された規則に基づいて、ＣＳＩ報告帯域のＫ個のサブ帯域から、ＰＩ報告及び／又はＲＰＩ報告のためのＭ個のサブ帯域を選択する。
【０１６４】
‐方式３：チャネル測定の結果に基づいて、ＣＳＩ報告帯域のＫ個のサブ帯域から、ＰＩ及び／又はＲＰＩ報告のためのＭ個のサブ帯域を選択する。
【０１６５】
‐方式４：ＣＳＩ報告帯域のＫ個のサブ帯域をＮ個のサブ帯域集合に分割し、各サブ帯域集合から１以上のサブ帯域を決定し、ＰＩ報告及び／又はＲＰＩ報告のためのサブ帯域としてＭ個のサブ帯域を形成する。
【０１６６】
方式１において、シグナリングメッセージは、物理層シグナリング、ＲＲＣシグナリング、ＭＡＣシグナリング、ＤＣＩ、及びビットマップのうちの少なくとも１つを含むことができる。
【０１６７】
方式２は、事前に定義された規則に基づいて、Ｋ個のサブ帯域から、ＰＩ報告及び／又はＲＰＩ報告のためのＭ個のサブ帯域を選択することを含み、事前に定義された規則には、以下のうちの少なくとも１つが含まれる。
【０１６８】
‐Ｋ個のサブ帯域から周波数が最も低いＭ個のサブ帯域を選択する。
【０１６９】
‐Ｋ個のサブ帯域から周波数が最も高いＭ個のサブ帯域を選択する。
【０１７０】
‐Ｋ個のサブ帯域から周波数が最も高いサブ帯域及び周波数が最も低いサブ帯域を含むＭ個のサブ帯域を選択する。
【０１７１】
‐Ｋ個のサブ帯域において、くし形分布にあるＭ個のサブ帯域を選択する。
【０１７２】
方式３において、チャネル測定の結果に基づいてＫ個のサブ帯域からＰＩ及び／又はＲＰＩ報告のためのＭ個のサブ帯域を選択することは、以下を含む。
【０１７３】
‐Ｋ個のサブ帯域のＣＱＩを計算し、ＰＩ及び／又はＲＰＩ報告のためにＫ個のサブ帯域のうち最良のＣＱＩを有するＭ個のサブ帯域を選択する。
【０１７４】
一実施形態によれば、方式３において、端末は、更に、Ｋ個のサブ帯域のうち最良のＣＱＩを有するＭ個のサブ帯域の番号情報を基地局に報告できる。Ｋ個のサブ帯域のＣＱＩの計算は、チャネル測定により取得されたＰＭＩ、ＲＰＩ、ＰＩに基づいてＣＱＩを計算することを含むことができる。
【０１７５】
方式４において、ＣＳＩ報告帯域のＫ個のサブ帯域をＮ個のサブ帯域集合に分割することは、以下のうちの少なくとも１つによる分割を含む。
【０１７６】
‐基地局からのシグナリングメッセージ、事前に定義された規則、及びチャネル測定の結果。
【０１７７】
方式４において、Ｋ個のサブ帯域をＮ個のサブ帯域集合に分割し、各サブ帯域集合から１以上のサブ帯域を決定することは、以下を含む。
【０１７８】
‐報告帯域幅のＫ個のサブ帯域をＮ個のサブ帯域集合に分割し、ここで、第ｎのサブ帯域集合は、Ｋｎ個のサブ帯域を含み、ＰＩ又はＲＰＩ報告のためのサブ帯域として、第ｎのサブ帯域集合からＭｎ個のサブ帯域を決定し、ここで、ｎは１以上の整数であり、ｎ≦Ｎである。Ｍｎの値は、基地局からの構成シグナリング、及び事前に定義された規則のうちの少なくとも１つに基づいて決定される。
【０１７９】
一実施形態によれば、端末は、Ｎ、Ｋｎ、及びＭｎのうちの少なくとも１つの値を基地局に報告する。
【０１８０】
以下のうちの少なくとも１つによって、各サブ帯域集合から、１以上のサブ帯域が決定される。
【０１８１】
‐基地局からのシグナリングメッセージに基づいて、各サブ帯域集合から、ＰＩ及び／又はＲＰＩ報告のための対応する数のサブ帯域を選択する。
【０１８２】
‐事前に定義された規則に基づいて、各サブ帯域集合から、ＰＩ及び／又はＲＰＩ報告のための対応する数のサブ帯域を選択する。
【０１８３】
‐チャネル測定の結果に基づいて、各サブ帯域集合から、ＰＩ及び／又はＲＰＩ報告のための対応する数のサブ帯域を選択する。
【０１８４】
具体的には、チャネル測定の結果に基づいて、各サブ帯域集合から、ＰＩ及び／又はＲＰＩ報告のための対応する数のサブ帯域を選択することは、以下を含むことができる。
【０１８５】
‐Ｋ個のサブ帯域のＣＱＩを計算し、第ｎのサブ帯域集合のＫｎ個のサブ帯域から、対応するＰＩ、対応するＲＰＩ、及びＭｎ個のサブ帯域を示す情報のうちの少なくとも１つを報告するために最も高いＣＱＩを有するＭｎ個のサブ帯域を選択する。
【０１８６】
具体的には、所定の方法によって、第ｎのサブ帯域集合のＫｎ個のサブ帯域から、対応するＰＩ及び／又はＲＰＩを報告するためのＭｎ個のサブ帯域を選択することは、以下のうちの少なくとも１つを含むことができる。
【０１８７】
‐Ｋｎ個のサブ帯域から周波数が最も低いＭｎ個のサブ帯域を選択する。
【０１８８】
‐Ｋｎ個のサブ帯域から周波数が最も高いＭｎ個のサブ帯域を選択する。
【０１８９】
‐Ｋｎ個のサブ帯域から周波数が最も高いサブ帯域及び周波数が最も低いサブ帯域を含むＭｎ個のサブ帯域を選択する。
【０１９０】
‐Ｋｎ個のサブ帯域において、くし形分布にあるＭｎ個のサブ帯域を選択する。
【０１９１】
所定の方式に基づいてＫ個のサブ帯域をＮ個のサブ帯域集合に分割することは、少なくとも以下を含む。
【０１９２】
‐Ｋ個のサブ帯域をＮ個のサブ帯域集合に均等に分割する。
【０１９３】
チャネル測定の結果に基づいてＫ個のサブ帯域をＮ個のサブ帯域集合に分割することは、以下のうち少なくとも１つを含むことができる。
【０１９４】
‐プリコーディングコードブックインデックスに関連するＲＰＩ又はＰＩによって示される情報を有するサブ帯域をそれぞれ含むサブ帯域集合を形成することであって、各情報の差は、ＤＲ又はＤＰ以下であり、ＤＲ又はＤＰは、所定の値であり又は基地局からのシグナリングメッセージによって決定される。
【０１９５】
‐プリコーディングコードブックインデックスに関連するＲＰＩ又はＰＩによって示される情報を有するサブ帯域をそれぞれ含むサブ帯域集合を形成することであって、サブ帯域集合内のサブ帯域間の情報の変化は、ＥＲ又はＥＰ以下であり、ＥＲ又はＥＰ内は、所定の値であり又は基地局からのシグナリングによって決定される。
【０１９６】
本開示の実施形態に基づいて基地局に適用可能なＣＳＩフィードバック方法を図３に示す。この方法は、以下を含む。
【０１９７】
‐Ｓ２０１：端末から、Ｍ個のサブ帯域のプリコーディングコードブックインデックスに関連する重み付き係数のＰＩ及び／又はＲＰＩを受信し、Ｍ個のサブ帯域は、端末によって、ＣＳＩ報告帯域のＫ個のサブ帯域から選択されている。
【０１９８】
‐Ｓ２０２：Ｍ個のサブ帯域のＰＩ及び／又はＲＰＩによって示されるサブ帯域間の振幅と位相の相関に基づいて、Ｋ個のサブ帯域のＣＳＩを決定する。
【０１９９】
ここで、Ｍ及びＫは１以上の整数であり、Ｍ＜Ｋであり、各サブ帯域はＲ個のリソースブロック（ＲＢ）からなる集合であり、Ｒは１以上の整数である。
【０２００】
基地局は、構成シグナリングによって、Ｍの値を端末に通知してもよい。
【０２０１】
基地局は、構成シグナリングによって、Ｋ個のサブ帯域内のＭ個のサブ帯域のくし形分布の次数情報を端末に通知してもよい。
【０２０２】
基地局は、シグナリングメッセージによって、Ｋ個のサブ帯域からＰＩ及び／又はＲＰＩ報告のためのＭ個のサブ帯域を選択するように端末に通知してもよい。
【０２０３】
具体的には、シグナリングメッセージは、物理層シグナリング、ＲＲＣシグナリング、ＭＡＣシグナリング、ＤＣＩ、及びビットマップのうちの少なくとも１つを含むことができる。
【０２０４】
基地局は、更に、端末から、Ｋ個のサブ帯域のうちのＭ個のサブ帯域の番号情報を受信してもよい。
【０２０５】
一実施形態によれば、シグナリングメッセージによってＫ個のサブ帯域からＰＩ及び／又はＲＰＩ報告のためのＭ個のサブ帯域を選択するように端末に通知することは、以下を含む。
【０２０６】
‐報告帯域幅のＫ個のサブ帯域をＮ個のサブ帯域集合に分割し、各サブ帯域集合から１以上のサブ帯域を決定し、ＰＩ報告及び／又はＲＰＩ報告のためのサブ帯域としてＭ個のサブ帯域を形成するように端末に通知する。
【０２０７】
この方法は、更に、ＣＳＩ報告帯域のＫ個のサブ帯域をＮ個のサブ帯域集合に分割するように端末に通知することであって、第ｎのサブ帯域集合は、Ｋｎ個のサブ帯域を含むことと、ＰＩ又はＲＰＩ報告のためのサブ帯域として、第ｎのサブ帯域集合からＭｎ個のサブ帯域を決定することであって、ｎは１以上の整数であり、ｎ≦Ｎであることとを含むことができる。
【０２０８】
基地局は、端末からサブ帯域集合の数、各サブ帯域集合内のサブ帯域の数、及び各サブ帯域集合内のＰＩ報告又はＲＰＩ報告のためのサブ帯域の数のうちの少なくとも１つを受信できる。
【０２０９】
上記実施形態の方法を実現するために端末に設けられる、本開示の実施形態に基づくＣＳＩフィードバック装置を図４に示す。この装置は、以下を含む。
【０２１０】
‐参照信号に基づいてチャネル測定を行うように構成された測定モジュール。
【０２１１】
‐ＣＳＩ報告帯域のＫ個のサブ帯域からＭ個のサブ帯域を選択し、Ｍ個のサブ帯域のプリコーディングコードブックインデックスに関連する重み付き係数のＰＩ及び／又はＲＰＩを基地局に報告するように構成されたフィードバックモジュール。
【０２１２】
ここで、Ｍ及びＫは１以上の整数であり、Ｍ＜Ｋであり、各サブ帯域はＲ個のリソースブロック（ＲＢ）からなる集合であり、Ｒは１以上の整数である。
【０２１３】
フィードバックモジュールは、更に、基地局からの構成シグナリング又は事前に定義された規則に基づいて、Ｍの値を決定するように構成してもよい。
【０２１４】
フィードバックモジュールは、更に、以下のうちの少なくとも１つによって、ＣＳＩ報告帯域のＫ個のサブ帯域からＰＩ及び／又はＲＰＩのフィードバックのためのＭ個のサブ帯域を選択してもよい。
【０２１５】
‐基地局からのシグナリングメッセージに基づいて、ＣＳＩ報告帯域のＫ個のサブ帯域からＰＩ及び／又はＲＰＩ報告のためのＭ個のサブ帯域を選択する。
【０２１６】
‐事前に定義された規則に基づいて、ＣＳＩ報告帯域のＫ個のサブ帯域からＰＩ報告及び／又はＲＰＩ報告のためのＭ個のサブ帯域を選択する。
【０２１７】
‐チャネル測定の結果に基づいて、ＣＳＩ報告帯域のＫ個のサブ帯域からＰＩ及び／又はＲＰＩ報告のためのＭ個のサブ帯域を選択する。
【０２１８】
フィードバックモジュールは、更に、事前に定義された規則に基づいて、Ｋ個のサブ帯域からＰＩ及び／又はＲＰＩ報告のためのＭ個のサブ帯域を選択してもよく、事前に定義された規則は、以下の少なくとも１つを含む。
【０２１９】
‐Ｋ個のサブ帯域から周波数が最も低いＭ個のサブ帯域を選択する。
【０２２０】
‐Ｋ個のサブ帯域から周波数が最も高いＭ個のサブ帯域を選択する。
【０２２１】
‐Ｋ個のサブ帯域から周波数が最も高いサブ帯域及び周波数が最も低いサブ帯域を含むＭ個のサブ帯域を選択する。
【０２２２】
‐Ｋ個のサブ帯域において、くし形分布にあるＭ個のサブ帯域を選択する。
【０２２３】
フィードバックモジュールは、更に、以下によって、チャネル測定の結果に基づいて、Ｋ個のサブ帯域からＰＩ及び／又はＲＰＩ報告のためのＭ個のサブ帯域を選択してもよい。
【０２２４】
‐Ｋ個のサブ帯域のＣＱＩを計算し、Ｋ個のサブ帯域のうち、最良のＣＱＩを有するＭ個のサブ帯域をＰＩ及び／又はＲＰＩ報告のために選択する。
【０２２５】
フィードバックモジュールは、更に、Ｋ個のサブ帯域のうち、最良のＣＱＩを有するＭ個のサブ帯域の番号情報を基地局に報告するように構成してもよい。
【０２２６】
フィードバックモジュールは、以下によって、Ｋ個のサブ帯域のＣＱＩを計算してもよい。
【０２２７】
‐チャネル測定から得られるプリコーディング行列インジケータ（ＰＭＩ）、相対電力インジケータ（ＲＰＩ）、及び位相インジケータ（ＰＩ）に基づいてＣＱＩを計算する。
【０２２８】
フィードバックモジュールは、更に、以下の少なくとも１つに基づいて、ＣＳＩ報告帯域のＫ個のサブ帯域をＮ個のサブ帯域集合に分割してもよい。
【０２２９】
‐基地局からのシグナリング、事前に定義された規則、及びチャネル測定の結果。
【０２３０】
Ｋ個のサブ帯域をＮ個のサブ帯域集合に分割し、各サブ帯域集合から１以上のサブ帯域を決定することは、以下を含む。
【０２３１】
‐報告帯域幅のＫ個のサブ帯域をＮ個のサブ帯域集合に分割し、ここで、第ｎのサブ帯域集合は、Ｋｎ個のサブ帯域を含み、ＰＩ又はＲＰＩ報告のためのサブ帯域として、第ｎのサブ帯域集合からＭｎ個のサブ帯域を決定し、ここで、ｎは１以上の整数であり、ｎ≦Ｎである。
【０２３２】
Ｍｎの値を決定することは、基地局からの構成シグナリング又は事前に定義された規則に基づいて決定することを含む。
【０２３３】
フィードバックモジュールは、以下のうちの少なくとも１つによって、各サブ帯域集合から１以上のサブ帯域を決定してもよい。
【０２３４】
‐基地局からのシグナリングメッセージに基づいて、各サブ帯域集合からＰＩ又はＲＰＩ報告のための対応する数のサブ帯域を選択する。
【０２３５】
‐事前に定義された規則に基づいて、各サブ帯域集合からＰＩ報告又はＲＰＩ報告のための対応する数のサブ帯域を選択する。
【０２３６】
‐チャネル測定の結果に基づいて、各サブ帯域集合からＰＩ又はＲＰＩ報告のための対応する数のサブ帯域を選択する。
【０２３７】
フィードバックモジュールは、以下によって、チャネル測定の結果に基づいて、各サブ帯域集合からＰＩ及び／又はＲＰＩ報告のための対応する数のサブ帯域を選択してもよい。
【０２３８】
‐Ｋ個のサブ帯域のＣＱＩを計算し、第ｎのサブ帯域集合のＫｎ個のサブ帯域から、対応するＰＩ、対応するＲＰＩ、及びＭｎ個のサブ帯域を示す情報のうちの少なくとも１つを報告するために最も高いＣＱＩを有するＭｎ個のサブ帯域を選択する。
【０２３９】
フィードバックモジュールは、以下のうちの少なくとも１つによって、所定の方法に従い、第ｎのサブ帯域集合のＫｎ個のサブ帯域から、対応するＰＩ及び／又はＲＰＩを報告するためのＭｎ個のサブ帯域を選択してもよい。
【０２４０】
‐Ｋｎ個のサブ帯域から周波数が最も低いＭｎ個のサブ帯域を選択する。
【０２４１】
‐Ｋｎ個のサブ帯域から周波数が最も高いＭｎ個のサブ帯域を選択する。
【０２４２】
‐Ｋｎ個のサブ帯域から周波数が最も高いサブ帯域及び周波数が最も低いサブ帯域を含むＭｎ個のサブ帯域を選択する。
【０２４３】
‐Ｋｎ個のサブ帯域において、くし形分布にあるＭｎ個のサブ帯域を選択する。
【０２４４】
フィードバックモジュールは、少なくとも以下によって、事前に定義された規則に基づいて、Ｋ個のサブ帯域をＮ個のサブ帯域集合に分割してもよい。
【０２４５】
‐Ｋ個のサブ帯域をＮ個のサブ帯域集合に均等に分割する。
【０２４６】
フィードバックモジュールは、以下のうちの少なくとも１つによって、チャネル測定の結果に基づいて、Ｋ個のサブ帯域をＮ個のサブ帯域集合に分割してもよい。
【０２４７】
‐プリコーディングコードブックインデックスに関連するＲＰＩ又はＰＩによって示される情報をそれぞれ有するサブ帯域をそれぞれ含むサブ帯域集合を形成し、ここで、各情報の差は、ＤＲ又はＤＰ以下であり、ＤＲ又はＤＰは、所定の値であり又は基地局からのシグナリングによって決定される。
【０２４８】
‐プリコーディングコードブックインデックスに関連するＲＰＩ又はＰＩによって示される情報を有するサブ帯域をそれぞれ含むサブ帯域集合を形成し、ここで、サブ帯域集合内のサブ帯域間の情報の変化は、ＥＲ又はＥＰ以下であり、ＥＲ又はＥＰは、所定の値であり又は基地局からのシグナリングによって決定される。
【０２４９】
フィードバックモジュールは、Ｎ、Ｋｎ、及びＭｎのうちの少なくとも１つの値を基地局に報告してもよい。
【０２５０】
実際には、測定モジュール及びフィードバックモジュールは、ＣＳＩフィードバック装置内の通信インタフェースと協働するプロセッサによって実現してもよい。
【０２５１】
上記実施形態の方法を実現するために基地局に設けられる、本開示の実施形態に基づくＣＳＩフィードバック装置を図５に示す。この装置は、以下を含む。
【０２５２】
‐端末から、Ｍ個のサブ帯域のプリコーディングコードブックインデックスに関連する重み付き係数のＰＩ及び／又はＲＰＩを受信するように構成された通信モジュールであって、Ｍ個のサブ帯域は、端末によって、ＣＳＩ報告帯域のＫ個のサブ帯域から選択されている通信モジュール。
【０２５３】
‐Ｍ個のサブ帯域のＰＩ及び／又はＲＰＩによって示されるサブ帯域間の振幅と位相の相関に基づいて、Ｋ個のサブ帯域のＣＳＩを決定するように構成された決定モジュール。
【０２５４】
ここで、Ｍ及びＫは１以上の整数であり、Ｍ＜Ｋであり、各サブ帯域はＲ個のリソースブロック（ＲＢ）からなる集合であり、Ｒは１以上の整数である。
【０２５５】
通信モジュールは、更に、構成シグナリングによって、Ｍの値を端末に通知するように構成してもよい。
【０２５６】
通信モジュールは、更に、構成シグナリングによって、Ｋ個のサブ帯域内のＭ個のサブ帯域のくし形分布の次数情報を、端末に通知するように構成してもよい。
【０２５７】
通信モジュールは、更に、シグナリングメッセージによって、Ｋ個のサブ帯域からＰＩ及び／又はＲＰＩ報告のためのＭ個のサブ帯域を選択するように端末に通知するように構成してもよい。
【０２５８】
通信モジュールは、更に、端末から、Ｋ個のサブ帯域のうちのＭ個のサブ帯域の番号情報を受信するように構成してもよい。
【０２５９】
通信モジュールは、更に、ＣＳＩ報告帯域のＫ個のサブ帯域をＮ個のサブ帯域集合に分割するように端末に通知するように構成してもよい。
【０２６０】
通信モジュールは、更に、各サブ帯域集合から１以上のサブ帯域を決定し、ＰＩ報告及び／又はＲＰＩ報告のためのサブ帯域としてＭ個のサブ帯域を形成するように端末に通知するように構成してもよい。
【０２６１】
通信モジュールは、更に、ＣＳＩ報告帯域のＫ個のサブ帯域をＮ個のサブ帯域集合に分割するように端末に通知するように構成してもよく、第ｎのサブ帯域集合は、Ｋｎ個のサブ帯域を含む。
【０２６２】
通信モジュールは、更に、ＰＩ又はＲＰＩ報告のためのサブ帯域として、第ｎのサブ帯域集合からＭｎ個のサブ帯域を決定するように端末に通知するように構成してもよく、ｎは１以上の整数であり、ｎ≦Ｎである。
【０２６３】
通信モジュールは、更に、端末から、サブ帯域集合の数、各サブ帯域集合内のサブ帯域の数、及び各サブ帯域集合内のＰＩ又はＲＰＩ報告のためのサブ帯域の数のうちの少なくとも１つを受信するように構成してもよい。
【０２６４】
実際には、通信モジュールは、ＣＳＩフィードバック装置内の通信インタフェースと協働するプロセッサによって実現してもよく、決定モジュールは、ＣＳＩフィードバック装置内のプロセッサによって実現してもよい。
【０２６５】
なお、上記実施形態では、一例として、ＣＳＩフィードバック装置内のプログラムモジュールの分割例を説明したが、実際には、プログラムモジュールは、他の形態で分割してもよい。換言すれば、上述した処理の全部又は一部を遂行するために、装置の内部構造は、異なるプログラムモジュールのセットに分割してもよい。更に、上記実施形態で提供されるＣＳＩフィードバック装置は、以下に説明するＣＳＩフィードバック方法の実施形態と同じ発明に関連し、したがって、装置の実装の詳細は、省略する。
【０２６６】
［実施形態１］
【０２６７】
図６に示すように、この実施形態では、ＣＳＩ報告帯域のＫ個のサブ帯域からＭ個のサブ帯域を選択することは、以下を含むことができる。
【０２６８】
‐端末によって、様々な方式で、Ｋ個のサブ帯域からＭの値とＭ個のサブ帯域を決定する。
【０２６９】
方式１：基地局からのシグナリング通知。基地局は、上位層又は物理層の信号によって、端末に通知を行い、Ｋ個のサブ帯域のうちのＭ個のサブ帯域のＲＰＩ及び／又はＰＩを報告させてもよい。例えば、基地局は、ビットマップによって、Ｋ個のサブ帯域からＭ個のサブ帯域をどのように選択するかを端末に通知できる。シグナリングは、準静的、準永続的な構成を達成するＲＲＣ又はＭＡＣシグナリング等の上位層シグナリングであってもよく、動的構成を達成するＤＣＩ等のＰＨＹシグナリングであってもよい。
【０２７０】
方式２：事前に定義された規則。端末は、事前に定義された規則に基づいて、例えば、以下のように、Ｋ個のサブ帯域から、相対的に固定されたＭ個のサブ帯域を選択できる。
【０２７１】
１．Ｍ個のサブ帯域は、Ｋ個のサブ帯域のうち、周波数が最も低いサブ帯域であってもよい。
【０２７２】
２．Ｍ個のサブ帯域は、Ｋ個のサブ帯域のうち、周波数が最も高いサブ帯域であってもよい。
【０２７３】
３．Ｍ個のサブ帯域は、Ｋ個のサブ帯域のうち、周波数が最も高いサブ帯域及び周波数が最も低いサブ帯域を含んでいてもよい。
【０２７４】
４．Ｍ個のサブ帯域は、Ｋ個のサブ帯域において、（図８に示すような）くし形分布を有するサブ帯域であってもよく、この場合、基地局は、シグナリングによって、くし形分布の次数を通知することによってＭの値を決定してもよい。
【０２７５】
方式３：チャネルの測定結果に基づいて、端末が独自に決定する。端末は、参照信号に基づいてチャネル測定を行い、各サブ帯域のＲＰＩ及び／又はＰＩを計算し、ＲＰＩ、ＲＩ、ＰＩ、ＰＭＩ等に基づいて各サブ帯域のＣＱＩを計算し、最良のＣＱＩを有するＭ個のサブ帯域のＲＰＩ及び／又はＰＩを報告し、及びＭ個のサブ帯域の対応する番号を報告する。
【０２７６】
上記の方法により、ＣＳＩフィードバック性能を維持しながら、ＲＰＩとＰＩのサブ帯域フィードバックのオーバーヘッドを低減できる。
【０２７７】
［実施形態２］
【０２７８】
本実施形態は、チャネル情報の量子化及びフィードバックの具体例を示す。本実施形態によれば、ＣＳＩ報告帯域のＫ個のサブ帯域がＮ個のサブ帯域集合に分割され、各サブ帯域集合は、Ｋｎ個のサブ帯域を含む。ＲＰＩ及びＰＩフィードバックにおいて、端末は、図７に示すように、第ｎのサブ帯域集合のＫｎ個のサブ帯域から、ＰＩ又はＲＰＩを報告するためのＭｎ個のサブ帯域を選択する。
【０２７９】
端末は、様々な方法で対応するＰＩ又はＲＰＩを報告するために、様々な手法で、第ｎのサブ帯域集合のＫｎ個のサブ帯域からＭｎ個のサブ帯域をどのように選択するかを決定できる。
【０２８０】
方式１：基地局からのシグナリング通知。基地局は、上位層又は物理層の信号によって、端末に通知を行い、Ｋｎ個のサブ帯域のうち、Ｍｎ個のサブ帯域上のＲＰＩ及び／又はＰＩを報告させてもよい。例えば、基地局は、ビットマップによって、Ｋｎ個のサブ帯域からＭｎ個のサブ帯域をどのように選択するかを端末に通知できる。シグナリングは、準静的、準永続的な構成を達成するＲＲＣ又はＭＡＣシグナリング等の上位層シグナリングであってもよく、動的構成を達成するＤＣＩ等のＰＨＹシグナリングであってもよい。
【０２８１】
方式２：事前に定義された規則。端末は、事前に定義された規則に基づいて、例えば、以下のように、Ｋｎ個のサブ帯域から、相対的に固定されたＭｎ個のサブ帯域を選択できる。
【０２８２】
１．Ｍｎ個のサブ帯域は、Ｋｎ個のサブ帯域のうち、周波数が最も低いサブ帯域であってもよい。
【０２８３】
２．Ｍｎ個のサブ帯域は、Ｋｎ個のサブ帯域のうち、周波数が最も高いサブ帯域であってもよい。
【０２８４】
３．Ｍｎ個のサブ帯域は、Ｋｎ個のサブ帯域のうち、周波数が最も高いサブ帯域及び周波数が最も低いサブ帯域を含んでいてもよい。
【０２８５】
４．Ｍｎ個のサブ帯域は、Ｋｎ個のサブ帯域において、くし形分布を有してもよく、この場合、基地局は、シグナリングによって、くし形分布の次数を通知することによってＭの値を決定してもよい。
【０２８６】
方式３：チャネルの測定結果に基づいて、端末が独自に決定する。端末は、参照信号に基づいてチャネル測定を行い、第ｎのサブ帯域集合内のＫｎ個のサブ帯域のＲＰＩ及び／又はＰＩを計算し、ＲＰＩ、ＲＩ、ＰＩ、ＰＭＩ等に基づいてＫｎ個のサブ帯域のＣＱＩを計算し、最良のＣＱＩを有するＭ個のサブ帯域のＲＰＩ及び／又はＰＩを報告し、Ｍ個のサブ帯域の対応する番号を報告する。
【０２８７】
この方法で解決すべき他の問題は、サブ帯域集合の分割である。端末は、以下の３つの方式によって、サブ帯域集合の分割を決定できる。
【０２８８】
方式Ａ：端末は、基地局からの命令シグナリングに基づいて、Ｎ、Ｋｎ及びＭｎの値を決定してもよい。シグナリングは、準静的、準永続的な構成を達成するＲＲＣ又はＭＡＣシグナリング等の上位層シグナリングであってもよく、動的構成を達成するＤＣＩ等のＰＨＹシグナリングであってもよい。
【０２８９】
方式Ｂ：端末は、以下の少なくとも１つを含む事前に定義された規則に基づいて、Ｎ、Ｋｎ及びＭｎの値を決定してもよい。
【０２９０】
１．Ｍｎが１又は２であり、すなわち、各サブ帯域集合からＲＰＩ及び／又はＰＩ報告のために１個又は２個のサブ帯域が選択される。
【０２９１】
２．ｎ＝１，…，Ｎ，Ｋｎについて、Ｋｎが定数であり、すなわち、Ｋ個のサブ帯域が均等に分割される。
【０２９２】
３．ｎ＝１，…，Ｎ，Ｋｎについて、Ｍｎが定数である。
【０２９３】
方式Ｃ：端末は、チャネル測定に基づいて、Ｎ、Ｋｎ、及びＭｎの値を決定してもよい。端末は、各サブ帯域上のＲＰＩ及びＰＩを計算し、一定の範囲内にあるＲＰＩ及びＰＩを有するサブ帯域をグループ化して、サブ帯域集合を形成してもよい。具体的には、端末は、Ｋ個のサブ帯域上のＲＰＩ及びＰＩを計算し、サブ帯域をグループ化してサブ帯域集合を形成できる。サブ帯域集合内のサブ帯域のＲＰＩ又はＰＩの差は、ＤＲ又はＤＰ以下である。ＤＲ又はＤＰは、所定の値であってもよく、基地局からのシグナリングによって決定してもよい。端末は、Ｎ、Ｋｎ及びＭｎの値を報告してもよい。特別なケースとして、Ｋ個のサブ帯域がＮ個のサブ帯域集合に均等に分割される場合があり、この場合、端末は、Ｎの値を報告するのみでよい。
【０２９４】
方式Ｄ：端末は、チャネル測定に基づいて、Ｎ、Ｋｎ、及びＭｎの値を決定してもよい。端末は、各サブ帯域上のＲＰＩ及び／又はＰＩを計算し、一定の規則に合致するＲＰＩ及びＰＩを有するサブ帯域をグループ化して、サブ帯域集合を形成してもよい。端末は、ＲＰＩ及び／又はＰＩによって示される情報が同様の変化を有するサブ帯域を共にグループ化してサブ帯域集合を形成してもよい。具体的には、異なるサブ帯域上のＲＰＩ及び／又はＰＩが類似の多項式関数を有する場合、これらのサブ帯域をサブ帯域集合にグループ化してもよい。具体的には、サブ帯域間のＲＰＩ及び／又はＰＩの変化がＥＲ又はＥＰ以下である場合、これらのサブ帯域をサブ帯域集合にグループ化してもよい。ＥＲ又はＥＰは、所定の値であってもよく、ＤＲ又はＤＰは、基地局からのシグナリングによって決定してもよい。端末は、Ｎ、Ｋｎ及びＭｎの値を報告してもよい。特別なケースとして、Ｋ個のサブ帯域がＮ個のサブ帯域集合に均等に分割される場合があり、この場合、端末は、Ｎの値を報告するのみでよい。
【０２９５】
上記の方法によって、チャネル推定が周波数選択性雑音又は干渉の影響を受ける場合でも、良好なフィードバック性能を保証でき、フィードバックオーバーヘッドを低減できる。
【０２９６】
［実施形態３］
【０２９７】
この実施形態は、チャネル情報フィードバックの特定の例を示す。基地局は、端末に参照信号を送信する。端末は、参照信号に関する測定値に基づいて、ＣＳＩを報告する。複数のサブ帯域のＣＳＩは、ＣＳＩ報告帯域で報告され、端末は、チャネル測定の結果に基づいて、ＣＳＩフィードバック用のサブ帯域の一部を選択し、サブ帯域選択情報を基地局に通知する。サブ帯域選択情報は、以下のうちの少なくとも１つを含む。
【０２９８】
１．Ｍ個のサブ帯域の選択を示す情報。ここで、Ｍ個のサブ帯域は、ＣＳＩ報告帯域のＫ個のサブ帯域から、ＲＰＩ及び／又はＰＩ報告のために選択される。
【０２９９】
２．Ｎ個のサブ帯域集合の分割とＭｎ個のサブ帯域集合の選択を示す情報。ここで、ＣＳＩ報告帯域のＫ個のサブ帯域は、Ｎ個のサブ帯域集合に分割され、第ｎのサブ帯域集合は、Ｋｎ個のサブ帯域を含み、Ｍｎ個のサブ帯域は、Ｋｎ個のサブ帯域から選択される。
【０３００】
端末は、少なくとも以下のうちのいずれかの手法により、ＰＵＣＣＨ又はＰＵＳＣＨ上で上記の情報を報告する。
【０３０１】
１．端末は、ＰＵＣＣＨフィードバックにおいて、第１のスロットでＭ、Ｎ、Ｋｎ、及びＭｎに関連する情報を報告し、第２のスロットでＲＰＩ及び／又はＰＩ情報を報告し、第１のスロットは、第２のスロットに先行する。
【０３０２】
２．端末は、長ＰＵＣＣＨ（long-PUCCH）フィードバックにおいて、第１のＯＦＤＭシンボル又はシンボルグループでＭ、Ｎ、Ｋｎ、及びＭｎに関連する情報を搬送し、第２のＯＦＤＭシンボル又はシンボルグループでＲＰＩ及び／又はＰＩ情報を搬送し、第１のＯＦＤＭシンボル又はシンボルグループは、第２のＯＦＤＭシンボル又はシンボルグループに先行する。
【０３０３】
３．端末は、ＰＵＳＣＨフィードバックにおいて、Ｍ、Ｎ、Ｋｎ、及びＭｎに関連する情報をフロントローディングされたＤＭＲＳ（front-loaded DMRS）の近くのリソースエレメント（Resource Element：ＲＥ）にマッピングし、ＲＰＩ及び／又はＰＩ情報を後続のＲＥにマッピングする。
【０３０４】
４．Ｍ、Ｎ、Ｋｎ、及びＭｎに関連する情報をＲＩマッピング位置の近くのＲＥにマッピングする。
【０３０５】
５．Ｍ、Ｎ、Ｋｎ、及びＭｎに関連する情報をＲＩと共に報告する。
【０３０６】
また、本開示は、例示的な実施形態として、記憶媒体、より具体的には、コンピュータプログラムを格納するメモリ等のコンピュータ可読記憶媒体を提供し、コンピュータプログラムは、ＣＳＩフィードバック装置のプロセッサによって実行することができ、上述の方法のステップを実行する。コンピュータ可読記憶媒体は、強磁性ランダムアクセスメモリ（Ferromagnetic Random Access Memory）（又はプログラマブル読み取り専用メモリ、ＦＲＡＭ（登録商標））、読み取り専用メモリ（Read Only Memory：ＲＯＭ）、書き込み可能読み取り専用メモリ（Programmable Read-Only Memory：ＰＲＯＭ）、消去可能書き込み可能読み取り専用メモリ（Erasable Programmable Read-Only Memory：ＥＰＲＯＭ）、電気的消去可能書き込み可能読み取り専用メモリ（Electrically Erasable Programmable Read-Only Memory：ＥＥＰＲＯＭ）、フラッシュメモリ、磁気記憶装置、光ディスク、又はコンパクトディスク読み取り専用メモリ（ＣＤ−ＲＯＭ）を含むことができ、これらには、コンピュータによって実行されるプログラムコード等のコンピュータ実行可能命令が格納される。
【０３０７】
本開示の実施形態は、多くの詳細を含むが、これらは、発明の範囲又は特許請求可能な範囲を制限するものとは解釈されず、特定の発明の特定の実施形態に固有であり得る特徴の説明として解釈されるべきである。当業者は、添付の特許請求の範囲に定義された本発明の範囲から逸脱することなく、様々な修正及び適応を行うことができる。したがって、本発明の範囲は、特許請求の範囲によってのみ定義される。
【図１】
2020523880.tif 000009
【図２】
2020523880.tif 000010
【図３】
2020523880.tif 000011
【図４】
2020523880.tif 000012
【図５】
2020523880.tif 000013
【図６】
2020523880.tif 000014
【図７】
2020523880.tif 000015
【図８】
2020523880.tif 000016
【手続補正書】
【提出日】令和2年1月21日(2020.1.21)
【手続補正２】
【補正対象書類名】特許請求の範囲
【補正対象項目名】全文
【補正方法】変更
【補正の内容】
【特許請求の範囲】
【請求項１】
無線通信方法であって、
基地局からの参照信号に基づいて、端末によってチャネル測定を行うことと、
チャネル状態情報（ＣＳＩ）フィードバックを提供するために、端末によって、ＣＳＩ報告帯域のＫ個のサブ帯域からＭ個のサブ帯域を選択することであって、Ｍ及びＫは１以上の整数であり、Ｍ＜Ｋであり、前記Ｍ個のサブ帯域は前記Ｋ個のサブ帯域においてくし形分布にある、Ｍ個のサブ帯域を選択することと、
端末によって、基地局に、前記Ｍ個のサブ帯域に対応する位相係数インジケータを報告することであって、前記位相係数インジケータは、プリコーディングコードブックインデックスに関連し、各サブ帯域はＲ個のリソースブロック（ＲＢ）からなる集合を含み、Ｒは１以上の整数である、位相係数インジケータを報告することと
を含む方法。
【請求項２】
請求項１に記載の方法において、
前記Ｋ個のサブ帯域をＮ個のサブ帯域集合に分割すること、及び
前記Ｎ個のサブ帯域集合に基づき、Ｍ個のサブ帯域を選択することであって、Ｎは１以上の整数である、Ｍ個のサブ帯域を選択すること
を含む、方法。
【請求項３】
請求項２に記載の方法において、前記分割することは、前記Ｋ個のサブ帯域をＮ個のサブ帯域集合に均等に分割することを含む方法。
【請求項４】
無線通信方法であって、
チャネル測定を実行するために、基地局によって端末に参照信号を送信することと、
前記基地局によって、前記端末から、Ｍ個のサブ帯域に対応する位相係数インジケータを受信することであって、前記位相係数インジケータは、プリコーディングコードブックインデックスに関連し、前記Ｍ個のサブ帯域は、ＣＳＩ報告帯域のＫ個のサブ帯域から選択される、位相係数インジケータを受信することと、
を含み、
Ｍ及びＫは１以上の整数であり、Ｍ＜Ｋであり、前記Ｍ個のサブ帯域は前記Ｋ個のサブ帯域においてくし形分布にあり、各サブ帯域はＲ個のリソースブロック（ＲＢ）からなる集合であり、Ｒは１以上の整数である方法。
【請求項５】
無線通信装置であって、
プロセッサと、
プロセッサ実行可能コードを含むメモリと、
を備え、
前記プロセッサ実行可能コードは、前記プロセッサによって実行されると、前記プロセッサに、
基地局からの参照信号に基づいてチャネル測定を行うことと、
チャネル状態情報（ＣＳＩ）フィードバックのために、ＣＳＩ報告帯域のＫ個のサブ帯域からＭ個のサブ帯域を選択することであって、Ｍ及びＫは１以上の整数であり、Ｍ＜Ｋであり、前記Ｍ個のサブ帯域は前記Ｋ個のサブ帯域においてくし形分布にある、Ｍ個のサブ帯域を選択することと、
前記Ｍ個のサブ帯域に対応する位相係数インジケータを前記基地局に報告することであって、前記位相係数はプリコーディングコードブックインデックスに関連する、位相係数インジケータを前記基地局に報告することと、
を実行させ、
各サブ帯域はＲ個のリソースブロック（ＲＢ）からなる集合を含み、Ｒは１以上の整数である装置。
【請求項６】
請求項５に記載の装置において、
前記Ｍ個のサブ帯域は、
前記Ｋ個のサブ帯域をＮ個のサブ帯域集合に分割すること、及び
前記Ｎ個のサブ帯域集合に基づき、前記Ｍ個のサブ帯域を選択することであって、Ｎは１より大きい整数である、前記Ｍ個のサブ帯域を選択すること、
によって選択される装置。
【請求項７】
請求項６に記載の装置において、前記分割することは、前記Ｋ個のサブ帯域をＮ個のサブ帯域集合に均等に分割することを含む装置。
【請求項８】
無線通信装置であって、
プロセッサと、
プロセッサ実行可能コードを含むメモリと、
を備え、
前記プロセッサ実行可能コードは、前記プロセッサによって実行されると、前記プロセッサに、
チャネル測定を行うために端末に参照信号を送信することと、
Ｍ個のサブ帯域に対応する位相係数インジケータを前記端末から受信することであって、前記位相係数インジケータはプリコーディングコードブックインデックスに関連する、位相係数インジケータを前記端末から受信することと、
を実行させ、
Ｍ及びＫは１以上の整数であり、Ｍ＜Ｋであり、前記Ｍ個のサブ帯域は前記Ｋ個のサブ帯域においてくし形分布にあり、各サブ帯域はＲ個のリソースブロック（ＲＢ）からなる集合を含み、Ｒは１以上の整数である装置。
【請求項９】
請求項１に記載の方法において、
前記端末によって、前記基地局に、前記Ｍ個のサブ帯域に対応する振幅係数インジケータを報告することを含み、
前記振幅係数インジケータは、前記プリコーディングコードブックインデックスに関連する、方法。
【請求項１０】
請求項４に記載の方法において、
前記基地局によって、前記端末から、前記Ｍ個のサブ帯域に対応する振幅係数インジケータを受信することを含み、
前記振幅係数インジケータは、前記プリコーディングコードブックインデックスに関連する、方法。
【請求項１１】
請求項５に記載の装置において、
前記プロセッサ実行可能コードは、前記プロセッサによって実行されると、前記プロセッサに、
前記基地局に、前記Ｍ個のサブ帯域に対応する振幅係数インジケータを報告させ、
前記振幅係数インジケータは、前記プリコーディングコードブックインデックスに関連する、装置。
【請求項１２】
請求項８に記載の装置において、
前記プロセッサ実行可能コードは、前記プロセッサによって実行されると、前記プロセッサに、
前記端末から、前記Ｍ個のサブ帯域に対応する振幅係数インジケータを受信させ、
前記振幅係数インジケータは、前記プリコーディングコードブックインデックスに関連する、装置。
【請求項１３】
コンピュータプログラムが格納された記憶媒体であって、前記コンピュータプログラムは、プロセッサによって、請求項１，２，３，４，９，１０のいずれか一項に記載のステップを実行するために実行可能である、記憶媒体。
【国際調査報告】
2020523880.tif 000017
2020523880.tif 000018
2020523880.tif 000019
2020523880.tif 000020